(57)【要約】【課題】推定される対応関係と実際の対応関係との差異を低減する。【解決手段】電磁波検出装置１０は照射部１１と第１の検出部１７と進行部２０と記憶部１３と制御部１４とを有する。照射部１１は電磁波を照射する。第１の検出部１７は対象ｏｂに照射された電磁波の反射波を検出する。進行部２０は複数の進行素子ｐｘを有する。複数の進行素子ｐｘは対象ｏｂに照射された電磁波の照射位置別に当該電磁波の反射波の第１の検出部１７への進行の可否を切替える。記憶部１３は関連情報を記憶する。制御部１４は第１の検出部１７が反射波を検出するときに反射波を第１の検出部１７に進行させている進行素子ｐｘの位置に基づいて関連情報を更新する。【選択図】図１
2018179620.tif 000002
【特許請求の範囲】
【請求項１】
電磁波を放射する照射部と、
対象に照射された前記電磁波の反射波を検出する第１の検出部と、
前記対象に照射された前記電磁波の照射位置別に、該電磁波の反射波の前記第１の検出部への進行の可否を切替える複数の進行素子を有する進行部と、
前記照射部からの前記電磁波の放射方向と、前記照射部から放射される電磁波の前記対象を介して少なくとも前記進行部に至るまでの経路上の２点それぞれを規定する２要素とのいずれか２つを関連付けた関連情報を記憶する記憶部と、
前記第１の検出部が前記反射波を検出するときに前記反射波を前記第１の検出部に進行させている進行素子の位置に基づいて、前記関連情報を更新する制御部と、を備える
電磁波検出装置。
【請求項２】
請求項１に記載の電磁波検出装置において、
前記関連情報は、前記放射方向と、該放射方向に放射される電磁波の反射波が入射する進行素子の位置とを関連付けた第１の関連情報を含み、
前記制御部は、前記第１の検出部が前記反射波を検出するときに前記反射波を前記第１の検出部に進行させている進行素子の位置とともに、前記第１の検出部が前記反射波を検出するときの前記放射方向に基づいて、前記関連情報の更新として、前記第１の関連情報を更新する
電磁波検出装置。
【請求項３】
請求項１または２に記載の電磁波検出装置において、
前記関連情報は、前記放射方向と、該放射方向に放射される電磁波の照射位置とを関連付けた第２の関連情報を含み、
前記制御部は、前記第１の検出部が前記反射波を検出するときに前記反射波を前記第１の検出部に進行させている進行素子の位置とともに、前記第１の検出部が前記反射波を検出するときの前記放射方向に基づいて、前記関連情報の更新として、前記第２の関連情報を更新する
電磁波検出装置。
【請求項４】
請求項１から３のいずれか１項に記載の電磁波検出装置において、
前記関連情報は、前記照射位置と、該照射位置に照射された電磁波の反射波が入射する進行素子の位置とを関連付けた第３の関連情報を含み、
前記制御部は、前記第１の検出部が前記反射波を検出するときに前記反射波を前記第１の検出部に進行させている進行素子の位置とともに、前記第１の検出部が前記反射波を検出するときの前記放射方向に基づいて、前記関連情報の更新として、前記第３の関連情報を更新する
電磁波検出装置。
【請求項５】
請求項１から４のいずれか１項に記載の電磁波検出装置において、
前記進行部に対して前記第１の検出部が配置される第１の方向とは異なる第２の方向に配置され、前記反射波を照射位置別に検出する複数の検出素子を有する第２の検出部を、さらに備え、
前記関連情報は、前記照射部からの前記電磁波の放射方向と、前記照射部から放射される電磁波の前記対象を介して前記第２の検出部に至るまでの経路上の２点それぞれを規定する２要素とのいずれか２つを関連付ける
電磁波検出装置。
【請求項６】
請求項５に記載の電磁波検出装置において、
前記関連情報は、前記放射方向と、該放射方向に放射される電磁波の反射波を検出する前記検出素子の位置とを関連付けた第４の関連情報を含み、
前記制御部は、前記第１の検出部が前記反射波を検出するときに前記反射波を前記第１の検出部に進行させている進行素子の位置とともに、前記第１の検出部が前記反射波を検出するときの前記放射方向に基づいて、前記関連情報の更新として、前記第４の関連情報を更新する
電磁波検出装置。
【請求項７】
請求項５または６に記載の電磁波検出装置において、
前記関連情報は、前記進行素子の位置と、該進行素子が前記反射波を進行させる検出素子の位置とを関連付けた第５の関連情報を含み、
前記制御部は、前記第１の検出部が前記反射波を検出するときに前記反射波を前記第１の検出部に進行させている進行素子の位置とともに、前記第１の検出部が前記反射波を検出するときの前記放射方向に基づいて、前記関連情報の更新として、前記第５の関連情報を更新する
電磁波検出装置。
【請求項８】
請求項５から７のいずれか１項に記載の電磁波検出装置において、
前記関連情報は、前記照射位置と、該照射位置に照射された電磁波の反射波を検出する検出素子の位置とを関連付けた第６の関連情報を含み、
前記制御部は、前記第１の検出部が前記反射波を検出するときに前記反射波を前記第１の検出部に進行させている進行素子の位置とともに、前記第１の検出部が前記反射波を検出するときの前記放射方向に基づいて、前記関連情報の更新として、前記第６の関連情報を更新する
電磁波検出装置。
【請求項９】
請求項５から８のいずれか１項に記載の電磁波検出装置において、
前記進行部は、前記反射波を、前記進行素子毎に、前記第１の方向に進行させる第１の状態と、前記第２の方向に進行させる第２の状態とに切替え可能である
電磁波検出装置。
【請求項１０】
電磁波を照射部から放射するステップと、
対象に照射された前記電磁波の反射波を第１の検出部によりに検出するステップと、
前記対象に照射された前記電磁波の照射位置別に、該電磁波の反射波の前記第１の検出部への進行の可否を切替え可能な複数の進行素子を有する進行部において、前記複数の進行素子の一部を、前記第１の検出部に進行させるステップと、
前記照射部からの前記電磁波の放射方向と、前記照射部から放射される電磁波の前記対象を介して少なくとも前記進行部に至るまでの経路上の２点それぞれを規定する２要素とのいずれか２つを関連付けた関連情報を記憶するステップと、
前記第１の検出部が前記反射波を検出するときに前記反射波を前記第１の検出部に進行させている進行素子の位置に基づいて、前記放射方向に関する情報を更新するステップと、を装置に実行させる
プログラム。
【請求項１１】
電磁波を放射する照射部と、
対象に照射された前記電磁波の反射波を検出する第１の検出部と、
前記対象に照射された前記電磁波の照射位置別に、該電磁波の反射波の前記第１の検出部への進行の可否を切替える複数の進行素子を有する進行部と、
前記照射部からの前記電磁波の放射方向と、前記照射部から放射される電磁波の前記対象を介して少なくとも前記進行部に至るまでの経路上の２点それぞれを規定する２要素とのいずれか２つを関連付けた関連情報を記憶する記憶部と、
前記第１の検出部が前記反射波を検出するときに前記反射波を前記第１の検出部に進行させている進行素子の位置に基づいて、前記関連情報を更新する制御部と、を備える
電磁波検出システム。
【発明の詳細な説明】
【技術分野】
【０００１】
本発明は、電磁波検出装置、プログラム、および電磁波検出システムに関するものである。
【背景技術】
【０００２】
近年、放射された電磁波の反射波の検出結果から周囲に関する情報を得る装置が開発されている。例えば、物体の位置を、レーザレーダを用いて測定する装置が知られている。（特許文献１参照）。
【先行技術文献】
【特許文献】
【０００３】
【特許文献１】特開２０１１−２２０７３２号公報
【発明の概要】
【発明が解決しようとする課題】
【０００４】
このような装置において、電磁波および反射波の経路上の、例えば光学要素が配置される２点を定める要素などに関する推定された対応関係と、実際の対応関係との差異の低減が求められている。
【０００５】
従って、上記のような従来技術の問題点に鑑みてなされた本開示の目的は、推定される対応関係と、実際の対応関係との差異を低減させることである。
【課題を解決するための手段】
【０００６】
上述した諸課題を解決すべく、第１の観点による電磁波検出装置は、
電磁波を放射する照射部と、
対象に照射された前記電磁波の反射波を検出する第１の検出部と、
前記対象に照射された前記電磁波の照射位置別に、該電磁波の反射波の前記第１の検出部への進行の可否を切替える複数の進行素子を有する進行部と、
前記照射部からの前記電磁波の放射方向と、前記照射部から放射される電磁波の前記対象を介して少なくとも前記進行部に至るまでの経路上の２点それぞれを規定する２要素とのいずれか２つを関連付けた関連情報を記憶する記憶部と、
前記第１の検出部が前記反射波を検出するときに前記反射波を前記第１の検出部に進行させている進行素子の位置に基づいて、前記関連情報を更新する制御部と、を備える。
【０００７】
また、第２の観点による電磁波検出システムは、
電磁波を放射する照射部と、
対象に照射された前記電磁波の反射波を検出する第１の検出部と、
前記対象に照射された前記電磁波の照射位置別に、該電磁波の反射波の前記第１の検出部への進行の可否を切替える複数の進行素子を有する進行部と、
前記照射部からの前記電磁波の放射方向と、前記照射部から放射される電磁波の前記対象を介して少なくとも前記進行部に至るまでの経路上の２点それぞれを規定する２要素とのいずれか２つを関連付けた関連情報を記憶する記憶部と、
前記第１の検出部が前記反射波を検出するときに前記反射波を前記第１の検出部に進行させている進行素子の位置に基づいて、前記関連情報を更新する制御部と、を備える。
【０００８】
上述したように本開示の解決手段を装置、及びシステムとして説明してきたが、本開示は、これらを含む態様としても実現し得るものであり、また、これらに実質的に相当する方法、プログラム、プログラムを記録した記憶媒体としても実現し得るものであり、本開示の範囲にはこれらも包含されるものと理解されたい。
【０００９】
例えば、本開示の第３の観点によるプログラムは、
電磁波を照射部から放射するステップと、
対象に照射された前記電磁波の反射波を第１の検出部によりに検出するステップと、
前記対象に照射された前記電磁波の照射位置別に、該電磁波の反射波の前記第１の検出部への進行の可否を切替え可能な複数の進行素子を有する進行部において、前記複数の進行素子の一部を、前記第１の検出部に進行させるステップと、
前記照射部からの前記電磁波の放射方向と、前記照射部から放射される電磁波の前記対象を介して少なくとも前記進行部に至るまでの経路上の２点それぞれを規定する２要素とのいずれか２つを関連付けた関連情報を記憶するステップと、
前記第１の検出部が前記反射波を検出するときに前記反射波を前記第１の検出部に進行させている進行素子の位置に基づいて、前記放射方向に関する情報を更新するステップと、を装置に実行させる。
【発明の効果】
【００１０】
上記のように構成された本開示によれば、推定される対応関係と、実際の対応関係との差異を低減し得る。
【図面の簡単な説明】
【００１１】
【図１】第１の実施形態に係る電磁波検出装置の概略構成を示す構成図である。
【図２】図１の電磁波検出装置の進行部における画素の第１の状態と第２の状態における電磁波の進行方向を説明するための、電磁波検出装置の構成図である。
【図３】図１の電磁波検出装置において、放射した電磁波の対象を介して第１の検出部に至るまでの経路上の各点における、任意の放射方向に対応する位置を示す概念図である。
【図４】図１の記憶部に記憶される第１の関連情報の一例を示す図である。
【図５】図１の記憶部に記憶される第２の関連情報の一例を示す図である。
【図６】図１の記憶部に記憶される第３の関連情報の一例を示す図である。
【図７】図１の記憶部に記憶される第４の関連情報の一例を示す図である。
【図８】図１の記憶部に記憶される第５の関連情報の一例を示す図である。
【図９】図１の記憶部に記憶される第６の関連情報の一例を示す図である。
【図１０】図１の照射部、第２の検出部、および制御部が構成する測距センサによる測距の原理を説明するための電磁波の放射の時期と検出の時期を示すタイミングチャートである。
【図１１】図１の制御部が画像情報および距離情報を繰返し取得するための各部位の制御を説明するためのタイミングチャートである。
【図１２】図１の進行部の任意の画素が第２の状態であるときの電磁波の進行状態を説明するための、電磁波検出装置の構成図である。
【図１３】図１２の任意の画素のみが第１の状態であるときの電磁波の進行状態を説明するための、電磁波検出装置の構成図である。
【図１４】第１の実施形態の電磁波検出装置において、第１の関連情報の更新を行うときの進行部における画素の状態および反射波による走査の軌跡を示す進行部の模式図である。
【図１５】図１の電磁波検出装置において、第１の関連情報の更新を行うときの所定の画素に対して第１の検出部が反射波を検出する、推定される経過時間と実際の経過時間との差異を示すための、経過時間に対する第１の検出部が反射波を検出するときのグラフである。
【図１６】第１の実施形態において、図１の制御部が実行する第１の関連情報の更新処理を説明するためのフローチャートである。
【図１７】第１の実施形態において、図１の制御部が実行する第２の関連情報の更新処理を説明するためのフローチャートである。
【図１８】第１の実施形態において、図１の制御部が実行する第３の関連情報の更新処理を説明するためのフローチャートである。
【図１９】第１の実施形態において、図１の制御部が実行する第４の関連情報の更新処理を説明するためのフローチャートである。
【図２０】第１の実施形態において、図１の制御部が実行する第５の関連情報の更新処理を説明するためのフローチャートである。
【図２１】第１の実施形態において、図１の制御部が実行する第６の関連情報の更新処理を説明するためのフローチャートである。
【図２２】第２の実施形態において、図１の制御部が実行する第１の関連情報の更新処理を説明するためのフローチャートである。
【図２３】第２の実施形態において、図１の制御部が実行する第２の関連情報の更新処理を説明するためのフローチャートである。
【図２４】第２の実施形態において、図１の制御部が実行する第３の関連情報の更新処理を説明するためのフローチャートである。
【図２５】第２の実施形態において、図１の制御部が実行する第４の関連情報の更新処理を説明するためのフローチャートである。
【図２６】第２の実施形態において、図１の制御部が実行する第５の関連情報の更新処理を説明するためのフローチャートである。
【図２７】第２の実施形態において、図１の制御部が実行する第６の関連情報の更新処理を説明するためのフローチャートである。
【発明を実施するための形態】
【００１２】
以下、本発明を適用した電磁波検出装置の実施形態について、図面を参照して説明する。放射された電磁波の放射方向を、既に得られている情報から推定する場合、実際の放射方向と推定される放射方向とが異なることがある。そこで、本発明を適用した電磁波検出装置は、実際の電磁波の放射方向と推定される電磁波の放射方向との差異を低減し得るように構成されている。
【００１３】
図１に示すように、本開示の第１の実施形態に係る電磁波検出装置１０は、照射部１１、電磁波検出部１２、記憶部１３、および制御部１４を含んで構成されている。
【００１４】
以後の図において、各機能ブロックを結ぶ破線は、制御信号または通信される情報の流れを示す。破線が示す通信は有線通信であってもよいし、無線通信であってもよい。また、各機能ブロックから突出する実線は、ビーム状の電磁波を示す。
【００１５】
照射部１１は、少なくとも電磁波を放射する照射源１５を有する。照射源１５は、例えば、赤外線、可視光線、紫外線、および電波の少なくともいずれかの電磁波を放射する。第１の実施形態において、照射源１５は、赤外線を放射する。
【００１６】
照射源１５は、所定の幅のビーム状の電磁波を放射する。第１の実施形態では、照射源１５は、幅の細い、例えば０．５°のビーム状の電磁波を放射する。また、照射源１５は電磁波をパルス状または連続波として放射可能である。第１の実施形態においては、照射源１５はパルス状の電磁波を放射する。例えば、照射源１５は、ＬＥＤ（Ｌｉｇｈｔ  Ｅｍｉｔｔｉｎｇ  Ｄｉｏｄｅ）およびＬＤ（Ｌａｓｅｒ  Ｄｉｏｄｅ）などを含む。照射源１５は、後述する制御部１４の制御に基づいて、電磁波の放射および停止を切替える。
【００１７】
照射部１１において、電磁波の放射方向は固定であっても、制御部１４から出力される駆動信号に基づいて変更可能であってもよい。第１の実施形態においては、電磁波の放射方向は変更可能である。
【００１８】
電磁波の放射方向は、単一の照射源１５から放射される電磁波を傾斜角度が変更可能な反射面に反射させることによって変更させてもよい。また、電磁波の放射方向は、例えばフェーズドアレイレーダーのように、平面状にアレイ配列させた複数の照射源１５から位相を少しずつずらして放射させることによって変更させもてよい。第１の実施形態においては、以下に説明するように、反射面を用いて反射させることにより電磁波の放射方向を変更する。
【００１９】
上述のように、第１の実施形態において、照射部１１は、さらに進行方向変更部１６を有する。進行方向変更部１６は、向きを変更可能な反射面を有する。進行方向変更部１６は、後述する制御部１４から出力される駆動信号に基づいて、反射面の向きを変える。
【００２０】
反射面は、照射源１５から放射された電磁波の進行方向を、駆動信号に応じて変更することにより、照射位置を変えながら対象ｏｂに照射する。すなわち、進行方向変更部１６は、照射源１５から放射される電磁波により、対象ｏｂを走査する。なお、進行方向変更部１６は、一次元方向または二次元方向に対象ｏｂを走査する。第１の実施形態においては、進行方向変更部１６は、二次元方向に対象ｏｂを走査する。
【００２１】
進行方向変更部１６は、照射源１５から放射されて反射した電磁波の照射領域の少なくとも一部が、電磁波検出装置１０における電磁波の検出範囲に含まれるように、構成されている。したがって、進行方向変更部１６を介して対象ｏｂに照射される電磁波の少なくとも一部は、電磁波検出装置１０において検出され得る。
【００２２】
なお、第１の実施形態において、進行方向変更部１６は、照射源１５から放射され且つ進行方向変更部１６に反射した電磁波の照射領域の少なくとも一部が、第２の検出部１８および第１の検出部１７における検出範囲に含まれるように、構成されている。したがって、進行方向変更部１６を介して対象ｏｂに照射される電磁波の少なくとも一部は、第１の検出部１７および第２の検出部１８により検出され得る。
【００２３】
進行方向変更部１６は、例えば、ＭＥＭＳ（Ｍｉｃｒｏ  Ｅｌｅｃｔｒｏ  Ｍｅｃｈａｎｉｃａｌ  Ｓｙｓｔｅｍｓ）ミラー、ポリゴンミラー、およびガルバノミラーなどを含む。第１の実施形態においては、進行方向変更部１６は、ＭＥＭＳミラーを含む。
【００２４】
電磁波検出部１２は、前段光学系１９、進行部２０、第１の後段光学系２１、第２の後段光学系２２、第２の検出部１８、および第１の検出部１７を有している。
【００２５】
前段光学系１９は、例えば、レンズおよびミラーの少なくとも一方を含み、電磁波の照射領域に存在する被写体となる対象ｏｂの像を結像させる。
【００２６】
進行部２０は、前段光学系１９から所定の位置をおいて離れた対象ｏｂの像の、前段光学系１９による結像位置である一次結像位置、又は当該一次結像位置近傍に、設けられていればよい。第１の実施形態においては、進行部２０は、当該一次結像位置に、設けられている。
【００２７】
進行部２０は、前段光学系１９を通過した電磁波が入射する作用面ａｓを有している。作用面ａｓは、２次元状に沿って並ぶ複数の画素（進行素子）ｐｘによって構成されている。作用面ａｓは、後述する第１の状態および第２の状態の少なくともいずれかにおいて、電磁波に、例えば、反射および透過などの作用を生じさせる面である。
【００２８】
画素ｐｘは、対象ｏｂに照射される電磁波の照射位置別に、当該電磁波の反射波の第２の検出部１８への進行の可否を切替え可能である。さらには、進行部２０は、作用面ａｓに入射する電磁波を、第１の方向ｄ１に進行させる第１の状態と、第２の方向ｄ２に進行させる第２の状態とに、画素ｐｘ毎に切替可能である。第１の実施形態において、第１の状態は、作用面ａｓに入射する電磁波を、第１の方向ｄ１に反射する第１の反射状態である。また、第２の状態は、作用面ａｓに入射する電磁波を、第２の方向ｄ２に反射する第２の反射状態である。
【００２９】
第１の実施形態において、進行部２０は、さらに具体的には、画素ｐｘ毎に電磁波を反射する反射面を含んでいる。進行部２０は、画素ｐｘ毎の反射面の向きを変更することにより、第１の状態および第２の状態を画素ｐｘ毎に切替える。
【００３０】
第１の実施形態において、進行部２０は、例えばＤＭＤ（Ｄｉｇｉｔａｌ  Ｍｉｃｒｏ  ｍｉｒｒｏｒ  Ｄｅｖｉｃｅ：デジタルマイクロミラーデバイス）を含む。ＤＭＤは、作用面ａｓを構成する微小な反射面を駆動することにより、画素ｐｘ毎に当該反射面を作用面ａｓに対して＋１２°および−１２°のいずれかの傾斜状態に切替可能である。なお、作用面ａｓは、ＤＭＤにおける微小な反射面を載置する基板の板面に平行である。
【００３１】
進行部２０は、後述する制御部１４の制御に基づいて、第１の状態および第２の状態を、画素ｐｘ毎に切替える。例えば、図２に示すように、進行部２０は、同時に、一部の画素ｐｘ１を第１の状態に切替えることにより当該画素ｐｘ１に入射する電磁波を第１の方向ｄ１に進行させ得、別の一部の画素ｐｘ２を第２の状態に切替えることにより当該画素ｐｘ２に入射する電磁波を第２の方向ｄ２に進行させ得る。また、進行部２０は、同一の画素ｐｘを第１の状態から第２の状態に切替えることにより、当該画素ｐｘに入射する電磁波を第１の方向ｄ１の次に第２の方向ｄ２に向けて進行させ得る。
【００３２】
進行部２０の各画素ｐｘは、第２の状態において、対象ｏｂに照射された電磁波の反射波を、照射位置別に、後述する第２の検出部１８の異なる複数の検出素子に進行させる。
【００３３】
図１に示すように、第１の後段光学系２１は、進行部２０から第１の方向ｄ１に設けられている。第１の後段光学系２１は、例えば、レンズおよびミラーの少なくとも一方を含む。第１の後段光学系２１は、進行部２０において進行方向を切替えられた電磁波としての対象ｏｂの像を結像させる。
【００３４】
第２の後段光学系２２は、進行部２０から第２の方向ｄ２に設けられている。第２の後段光学系２２は、例えば、レンズおよびミラーの少なくとも一方を含む。第２の後段光学系２２は、進行部２０において進行方向を切替えられた電磁波としての対象ｏｂの像を結像させる。
【００３５】
第１の検出部１７は、進行部２０による第１の方向ｄ１に進行した後に第１の後段光学系２１を経由して進行する電磁波の経路上に設けられている。第１の検出部１７は、第１の後段光学系２１を経由した電磁波、すなわち第１の方向ｄ１に進行した電磁波を検出する。
【００３６】
第１の実施形態において、第１の検出部１７は、照射部１１から対象ｏｂに向けて照射された電磁波の当該対象ｏｂからの反射波を検出するアクティブセンサである。なお、第１の実施形態において、第１の検出部１７は、照射部１１から照射され且つ進行方向変更部１６により反射されることにより対象ｏｂに向けて照射された電磁波の当該対象ｏｂからの反射波を検出する。
【００３７】
第１の実施形態において、第１の検出部１７は、さらに具体的には、測距センサを構成する素子を含む。例えば、第１の検出部１７は、ＡＰＤ（Ａｖａｌａｎｃｈｅ  ＰｈｏｔｏＤｉｏｄｅ）、ＰＤ（ＰｈｏｔｏＤｉｏｄｅ）および測距イメージセンサなどの単一の素子を含む。また、第１の検出部１７は、ＡＰＤアレイ、ＰＤアレイ、測距イメージングアレイ、および測距イメージセンサなどの素子アレイを含むものであってもよい。
【００３８】
第１の検出部１７は、被写体からの反射波を検出する。第１の実施形態において、第１の検出部１７は、さらに具体的には、赤外線の帯域の電磁波を検出する。したがって、第１の実施形態において、第１の検出部１７は、進行方向変更部１６と協同して、走査型の測距センサを構成する。第１の検出部１７は、反射波を検出したことを示す検出情報を信号として制御部１４に送信する。
【００３９】
なお、第１の検出部１７は、上述した測距センサを構成する単一の素子である構成において、電磁波を検出できればよく、検出面において結像される必要はない。それゆえ、第１の検出部１７は、第１の後段光学系２１による結像位置である二次結像位置に設けられなくてもよい。すなわち、この構成において、第１の検出部１７は、すべての画角からの電磁波が検出面上に入射可能な位置であれば、進行部２０により第１の方向ｄ１に進行した後に第１の後段光学系２１を経由して進行する電磁波の経路上のどこに配置されてもよい。
【００４０】
第２の検出部１８は、進行部２０による第２の方向ｄ２に進行した後に第２の後段光学系２２を経由して進行する電磁波の経路上に、設けられている。第２の検出部１８は、第２の後段光学系２２を経由した電磁波、すなわち第２の方向ｄ２に進行した電磁波を検出する。
【００４１】
第２の検出部１８は、複数の検出素子を有するパッシブセンサである。複数の検出素子は、第１の後段光学系２１の光軸に垂直な平面に配置されている。第１の実施形態において、第２の検出部１８は、さらに具体的には、素子アレイを含む。例えば、第２の検出部１８は、イメージセンサまたはイメージングアレイなどの撮像素子を含み、検出面において結像した電磁波による像を撮像して、撮像した対象ｏｂに相当する画像情報を生成する。さらに、第１の実施形態において、第２の検出部１８は、さらに具体的には可視光の像を撮像する。第２の検出部１８は、生成した画像情報を信号として制御部１４に送信する。
【００４２】
また、第２の検出部１８は、照射源１５から進行方向変更部１６を介して対象ｏｂに照射した電磁波の反射波を検出し、検出した電磁波による像を撮像して、撮像した対象ｏｂに相当する画像情報を生成する。複数の検出素子は、対象ｏｂ上の照射位置別の当該電磁波を検出する。
【００４３】
なお、第２の検出部１８は、可視光以外の像を撮像してもよい。また、第２の検出部１８はサーモセンサを含んでいてもよい。この構成において、電磁波検出装置１０は、第２の検出部１８により温度情報を取得し得る。
【００４４】
このように、第１の実施形態において、第２の検出部１８は、素子アレイを含む、そのため、第２の検出部１８は、入射された電磁波が検出面において結像すると、結像した電磁波は各検出素子に入射するため、解像度を向上させ得る。そこで、第２の検出部１８は、第２の後段光学系２２による結像位置である二次結像位置に設けられるとよい。
【００４５】
記憶部１３は、半導体メモリ又は磁気メモリ等で構成することができ、各種情報、各種データ、および電磁波検出装置１０を動作させるためのプログラム等を記憶する。また、記憶部１３は、ワークメモリとしても機能する。
【００４６】
例えば、記憶部１３は、関連情報を記憶する。関連情報は、電磁波の放射方向と、照射部１１から当該放射方向に放射される電磁波の対象ｏｂを介して少なくとも進行部２０に至るまでの経路上の２点それぞれを規定する２要素とのいずれか２つを関連付けた情報を含む。また、第１の実施形態のように、電磁波検出装置１０が第２の検出部１８を有する構成においては、関連情報は、電磁波の放射方向と、照射部１１から当該放射方向に放射される電磁波の対象ｏｂを介して第２の検出部１８に至るまでの経路上の２点それぞれを規定する要素とのいずれか２つを関連付けていてもよい。
【００４７】
なお、電磁波の放射方向とは、放射方向を規定する多様な要素である。第１の実施形態のように、進行方向変更部１６を適用する構成においては、放射方向は、基準面に対する反射面の傾斜角度であってよい。傾斜角度は、１軸に対する傾斜角度でも、２軸に対する傾斜角度であってもよい。また、前述のように、平面状にアレイ配列させた複数の照射源１５から位相を少しずつずらして放射する構成においては、複数の照射源１５の中で放射中の照射源１５を特定する位置などであってよい。また、前述のように、放射方向が固定である構成においては、照射部１１において基準となる空間における方向ベクトルなどであってよい。
【００４８】
なお、照射部１１から当該放射方向に放射される電磁波の対象ｏｂを介して少なくとも進行部２０に至るまでの経路上の点とは、図３に例示するように、任意の放射方向（θ、φ）に対して定まる、電磁波の照射領域内の照射位置（ｘ’’、ｙ’’）、進行部２０内で反射波が入射する画素ｐｘの位置（ｘ’、ｙ’）、および第１の検出部１７内で反射波が入射する検出素子の位置（ｘ、ｙ）などである。例えば、関連情報は、第１の関連情報から第６の関連情報を含む。
【００４９】
第１の関連情報は、電磁波の放射方向と、当該放射方向に放射される電磁波の反射波が入射する画素ｐｘ（進行素子）の位置とを関連付けた情報である。第１の関連情報は、例えば、放射方向に対する画素ｐｘの位置の関数、または、画素ｐｘの位置に対する放射方向の関数である。または、第１の関連情報は、例えば、図４に示すように、放射方向（θ、φ）毎に別々に対応付けられる画素ｐｘの位置（ｘ’、ｙ’）である。または、第１の関連情報は、画素ｐｘの位置毎に別々に対応付けられる放射方向であってもよい。
【００５０】
第２の関連情報は、電磁波の放射方向と、当該放射方向に放射される電磁波の照射領域内の照射位置とを関連付けた情報である。第２の関連情報は、例えば、放射方向に対する照射位置の関数、または、照射位置に対する放射方向の関数である。または、第２の関連情報は、例えば、図５に示すように、放射方向（θ、φ）毎に別々に対応付けられる照射位置（ｘ’’、ｙ’’）である。または、第２の関連情報は、照射位置毎に別々に対応付けられる放射方向であってもよい。
【００５１】
第３の関連情報は、電磁波の照射領域内の照射位置と、当該照射位置に照射された電磁波の反射波が入射する画素ｐｘ（進行素子）の位置とを関連付けた情報である。第３の関連情報は、例えば、照射位置に対する画素ｐｘの位置の関数、または、画素ｐｘの位置に対する照射位置の関数である。または、第３の関連情報は、例えば、図６に示すように、照射位置（ｘ’’、ｙ’’）毎に別々に対応付けられる画素ｐｘの位置（ｘ’、ｙ’）である。または、第３の関連情報は、画素ｐｘの位置毎に別々に対応付けられる照射位置であってもよい。
【００５２】
第４の関連情報は、電磁波の放射方向と、当該放射方向に放射される電磁波の反射波を検出する検出素子の位置とを関連付けた情報である。第４の関連情報は、例えば、放射方向に対する検出素子の位置の関数、または、検出素子に対する放射方向の関数である。または、第４の関連情報は、例えば、図７に示すように、放射方向（θ、φ）毎に別々に対応付けられる検出素子の位置（ｘ、ｙ）である。または、第４の関連情報は、検出素子の位置毎に別々に対応付けられる放射方向であってもよい。
【００５３】
第５の関連情報は、電磁波の反射波が入射する画素ｐｘ（進行素子）の位置と、当該画素ｐｘが反射波を進行させる検出素子の位置とを関連付けた情報である。第５の関連情報は、例えば、画素ｐｘの位置に対する検出素子の位置の関数、または、検出素子の位置に対する画素ｐｘの位置の関数である。または、第５の関連情報は、例えば、図８に示すように、画素ｐｘの位置（ｘ’、ｙ’）毎に別々に対応付けられる検出素子の位置（ｘ、ｙ）である。または、第５の関連情報は、検出素子の位置毎に別々に対応付けられる画素ｐｘの位置であってもよい。
【００５４】
第６の関連情報は、電磁波の照射領域内の照射位置と、当該照射位置に照射された電磁波の反射波を検出する検出素子の位置とを関連付けた情報である。第６の関連情報は、例えば、照射位置に対する検出素子の位置の関数、または、検出素子の位置に対する照射位置の関数である。または、第６の関連情報は、例えば、図９に示すように、照射位置（ｘ’’、ｙ’’）毎に別々に対応付けられる検出素子の位置（ｘ、ｙ）である。または、第３の関連情報は、検出素子の位置毎に別々に対応付けられる照射位置であってもよい。
【００５５】
また、記憶部１３は、駆動信号と、当該駆動信号に対応した電磁波の放射方向との対応を示す第１の対応情報を記憶する。第１の対応情報は、例えば、駆動信号に対する放射方向の関数、または放射方向に対する駆動信号の関数である。または、第１の対応情報は、駆動信号の複数の信号値毎に別々に対応付けられる放射方向である。または、第１の対応情報は、放射方向毎に別々に対応付けられる駆動信号の複数の信号値であってもよい。なお、前述のように、電磁波の放射方向が固定されている構成においては、記憶部１３は、第１の対応情報の代わりに、電磁波の放射方向そのものを記憶してよい。
【００５６】
また、記憶部１３は、基準時間からの経過時間と、経過時間に対応した駆動信号との対応を示す第２の対応情報を記憶する。第２の対応情報は、例えば、経過時間に対する駆動信号の関数、または駆動信号に対する経過時間の関数である。または、第２の対応情報は、経過時間毎に別々に対応付けられる駆動信号の複数の信号値である。または、第２の対応情報は、駆動信号の複数の信号値毎に別々に対応付けられる経過時間であってもよい。
【００５７】
制御部１４は、１以上のプロセッサおよびメモリを含む。プロセッサは、特定のプログラムを読み込ませて特定の機能を実行する汎用のプロセッサ、および特定の処理に特化した専用のプロセッサの少なくともいずれかを含んでよい。専用のプロセッサは、特定用途向けＩＣ（ＡＳＩＣ；Ａｐｐｌｉｃａｔｉｏｎ  Ｓｐｅｃｉｆｉｃ  Ｉｎｔｅｇｒａｔｅｄ  Ｃｉｒｃｕｉｔ）を含んでよい。プロセッサは、プログラマブルロジックデバイス（ＰＬＤ；Ｐｒｏｇｒａｍｍａｂｌｅ  Ｌｏｇｉｃ  Ｄｅｖｉｃｅ）を含んでよい。ＰＬＤは、ＦＰＧＡ（Ｆｉｅｌｄ−Ｐｒｏｇｒａｍｍａｂｌｅ  Ｇａｔｅ  Ａｒｒａｙ）を含んでよい。制御部１４は、１つまたは複数のプロセッサが協働するＳｏＣ（Ｓｙｓｔｅｍ−ｏｎ−ａ−Ｃｈｉｐ）、およびＳｉＰ（Ｓｙｓｔｅｍ  Ｉｎ  ａ  Ｐａｃｋａｇｅ）の少なくともいずれかを含んでもよい。
【００５８】
制御部１４は、第１の検出部１７および第２の検出部１８がそれぞれ検出した電磁波に基づいて、電磁波検出装置１０の周囲に関する情報を取得する。周囲に関する情報は、例えば画像情報、距離情報、および温度情報などである。
【００５９】
第１の実施形態において、制御部１４は、前述のように、第２の検出部１８が画像として検出した電磁波を画像情報として取得する。また、第１の実施形態において、制御部１４は、第１の検出部１７が検出する検出情報に基づいて、以下に説明するように、ＴｏＦ（Ｔｉｍｅ−ｏｆ−Ｆｌｉｇｈｔ）方式により、照射部１１に照射される照射位置の距離情報を取得する。
【００６０】
図１０に示すように、制御部１４は、照射源１５に電磁波放射信号を入力することにより、照射源１５にパルス状の電磁波を放射させる（“電磁波放射信号”欄参照）。照射源１５は、入力された当該電磁波放射信号に基づいて電磁波を照射する（“照射部放射量”欄参照）。照射源１５が放射し且つ進行方向変更部１６が反射して任意の照射領域に照射された電磁波は、当該照射領域において反射する。
【００６１】
制御部１４は、例えば、時間計測ＬＳＩ（Ｌａｒｇｅ  Ｓｃａｌｅ  Ｉｎｔｅｇｒａｔｅｄ  ｃｉｒｃｕｉｔ）を有しており、照射源１５に電磁波を放射させた時期Ｔ１から、検出情報を取得（“検出情報取得”欄参照）した時期Ｔ２までの時間ΔＴを計測する。制御部１４は、当該時間ΔＴに、光速を乗算し、且つ２で除算することにより、照射位置までの距離を算出する。
【００６２】
なお、制御部１４は、進行方向変更部１６に駆動信号を出力する。また、制御部１４は、記憶部１３から第２の関連情報および第１の対応情報を読出す。制御部１４は、出力する駆動信号、第１の対応情報、および第２の関連情報に基づいて、照射位置を算出する。制御部１４は、駆動信号を用いて照射位置を変えながら、各照射位置までの距離を算出することにより、第２の検出部１８から取得した画像情報における距離情報を作成する。
【００６３】
なお、第１の実施形態において、電磁波検出装置１０は、レーザ光を照射して、返ってくるまでの時間を直接測定するＤｉｒｅｃｔ  ＴｏＦにより距離情報を作成する構成である。しかし、電磁波検出装置１０は、このような構成に限られない。例えば、電磁波検出装置１０は、電磁波を一定の周期で照射し、照射された電磁波と返ってきた電磁波との位相差から、返ってくるまでの時間を間接的に測定するＦｌａｓｈ  ＴｏＦにより距離情報を作成しても良い。また、電磁波検出装置１０は、他のＴｏＦ方式、例えば、Ｐｈａｓｅｄ  ＴｏＦにより距離情報を作成してもよい。
【００６４】
また、制御部１４は、照射源１５、進行方向変更部１６、進行部２０、第１の検出部１７、および第２の検出部１８を制御して、画像情報および距離情報を繰返し取得する。画像情報および距離情報を繰返し取得するための各部位の制御について、図１１のタイミングチャートを用いて以下に説明する。
【００６５】
タイミングｔ１において、制御部１４は、第２の検出部１８に第１のフレームの画像情報の生成のための電磁波の検出を開始させる。なお、タイミングｔ１においては、進行部２０の全画素ｐｘは第２の状態であり、前段光学系１９に入射する電磁波は第２の検出部１８に到達する（図１２参照）。また、図１１に示すように、タイミングｔ１において、制御部１４は、進行部２０における第１の画素ｐｘの第２の状態から第１の状態への切替えを開始させる（“進行部第１の画素駆動信号”欄参照）。なお、タイミングｔ１において、他の全画素ｐｘは第２の状態のままである（“進行部第２の画素状態”、“進行部第Ｎの画素状態”欄参照）。
【００６６】
進行部２０の第１の画素ｐｘの第２の状態から第１の状態への切替えが完了するタイミングｔ２において（“進行部第１の画素状態”欄参照）、制御部１４は照射源１５に電磁波を放射させる（“電磁波放射時期”欄参照）。なお、タイミングｔ２においては、進行部２０の第１の画素ｐｘが第２の状態（図１２参照）から第１の状態に切替わり、前段光学系１９に入射し、進行部２０の第１の画素ｐｘにおいて結像する電磁波が第１の方向ｄ１の次に第１の方向ｄ１向けて進行する（図１３参照）。
【００６７】
図１１に示すように、また、タイミングｔ２において、制御部１４は、第１の検出部１７に電磁波を検出させる（“第２の検出部検出時期”欄参照）。なお、照射源１５が電磁波を照射してから電磁波検出装置１０に到達するまでにかかる時間は、画像情報の生成のための検出時間に比べて極めて短く、例えばナノ秒のオーダーである。それゆえ、タイミングｔ２とみなせる微小な時間に第１の検出部１７による電磁波の検出が完了する。制御部１４は、タイミングｔ２において進行方向変更部１６に送信する駆動信号に基づいて、進行部２０の第１の画素ｐｘに対応する照射位置における距離情報を算出することにより取得する。
【００６８】
さらに、タイミングｔ２において、制御部１４は、進行部２０における第１の画素ｐｘの第１の状態から第２の状態への切替えを開始させる（“進行部第１の画素駆動信号”欄参照）。このように、制御部１４は、進行部２０における第１の画素ｐｘを第１の状態から第２の状態へと切替えるため、再度、第１の画素ｐｘに対応する第２の検出部１８における検出素子に電磁波（可視光）を検出させ得る。
【００６９】
進行部２０の第１の画素ｐｘの第１の状態から第２の状態への切替えが完了するタイミングｔ３において（“進行部第１の画素状態”欄参照）、制御部１４は、進行部２０における第２の画素ｐｘの第２の状態から第１の状態への切替えを開始させる（“進行部第２の画素駆動信号”欄参照）。なお、タイミングｔ３において、他の全画素ｐｘは第２の状態のままである（“進行部第１の画素状態”、“進行部第Ｎの画素状態”欄参照）。
【００７０】
進行部２０の第２の画素ｐｘの第２の状態から第１の状態への切替えが完了するタイミングｔ４において（“進行部第２の画素状態”欄参照）、制御部１４は照射源１５に電磁波を放射させる（“電磁波放射時期”欄参照）。なお、タイミングｔ４においては、進行部２０の第２の画素ｐｘが第２の状態から第１の状態に切替わり、前段光学系１９に入射し、進行部２０の第２の画素ｐｘにおいて結像する電磁波が第２の方向ｄ２の次に第１の方向ｄ１向けて進行する。また、タイミングｔ４において、制御部１４は、第１の検出部１７に電磁波を検出させる（“第２の検出部検出時期”欄参照）。制御部１４は、タイミングｔ４において進行方向変更部１６に送信する駆動信号に基づいて、進行部２０の第２の画素ｐｘに対応する照射位置における距離情報を算出することにより取得する。
【００７１】
さらに、タイミングｔ４において、制御部１４は、進行部２０における第２の画素ｐｘの第１の状態から第２の状態への切替えを開始させる（“進行部第２の画素駆動信号”欄参照）。このように、制御部１４は、進行部２０における第２の画素ｐｘを第１の状態から第２の状態へと切替えるため、再度、第２の画素ｐｘに対応する第２の検出部１８における検出素子に電磁波（可視光）を検出させ得る。
【００７２】
以後、制御部１４は、進行部２０における第３の画素ｐｘから第Ｎの画素ｐｘについて、第１の画素ｐｘと同じ様に、順番に、第２の状態から第１の状態への切替えと、第１の状態から第２の状態への切替えとを行うことにより、第１のフレームの画像情報を取得すると共に、各画素ｐｘに対応する照射位置における距離情報を取得する。
【００７３】
なお、上述のように、制御部１４が、第（Ｍ−１）の画素ｐｘが第１の状態から第２の状態への切替えが完了する時期において、第Ｍの画素ｐｘの第２の状態から第１の状態への切替えを開始させる制御を行う構成において、１フレーム分の画像情報の生成のための時間Ｔｉｍｇに、進行部２０は、Ｔｉｍｇ／Ｔｄｉｓの数の画素ｐｘを第２の状態から第１の状態に切替可能である。
【００７４】
すなわち、制御部１４は、時間Ｔｉｍｇに、Ｔｉｍｇ／Ｔｄｉｓの数の画素ｐｘ分の距離情報の生成が可能である。なお、Ｍは、２≦Ｍ≦Ｎを満たす整数である。また、Ｔｄｉｓは、進行部２０の画素ｐｘの第２の状態から第１の状態への切替えにかかる時間と、第１の状態から第２の状態に戻すまでにかかる時間とを合計した時間である。すなわち、Ｔｄｉｓは、任意の画素ｐｘが第２の状態、第１の状態、および第２の状態の順に切替わるために要する時間である。第１の実施形態においては、例えば、Ｔｉｍｇは１／６０秒であり、Ｔｄｉｓは１／３０００秒である。
【００７５】
Ｔｉｍｇ／Ｔｄｉｓの値が進行部２０の画素数より少ない構成において、制御部１４は、時間Ｔｉｍｇ中に、進行部２０における画素ｐｘのすべてを切替えることができない。そのため、制御部１４は、１フレーム分の画像情報の生成中に、当該１フレーム分の画像情報に対応する距離情報を生成することができない。すなわち、制御部１４は、１フレーム分の画像情報の生成中に、当該１フレーム分の画像情報に満たないフレーム（例えば、０．５フレーム）分に対応する距離情報しか生成することができない。
【００７６】
そこで、Ｔｉｍｇ／Ｔｄｉｓの値が進行部２０の画素数より少ない構成において、制御部１４は、進行部２０における全画素ｐｘのうち、Ｔｉｍｇ／Ｔｄｉｓの数以下の画素ｐｘを切替対象として選択する。さらに、制御部１４は、切替対象として選択した各画素ｐｘの第１の状態への切替時期に当該各画素ｐｘに対応する照射領域内の領域に電磁波が照射されるように、駆動信号を進行方向変更部１６に送信する。
【００７７】
または、Ｔｉｍｇ／Ｔｄｉｓの値が進行部２０の画素数より少ない構成において、制御部１４は、複数のフレーム（Ｐフレーム：ＰはＰ＞１を満たす正の数）分の画像情報の生成のための時間Ｐ×Ｔｉｍｇ中に、進行部２０における画素ｐｘの全ての切替えが完了するように制御してもよい。さらに、制御部１４は、進行部２０の各画素ｐｘの切替時期に当該各画素ｐｘに対応する照射領域内の領域に電磁波が照射されるように、駆動信号を進行方向変更部１６に送信する。
【００７８】
または、Ｔｉｍｇ／Ｔｄｉｓの値が進行部２０の画素数より少ない構成において、制御部１４は、進行部２０における全画素ｐｘを、Ｔｉｍｇ／Ｔｄｉｓの数以下のグループに分け、グループ毎に画素ｐｘをまとめて切替える。さらに、制御部１４は、各グループを代表する位置（例えば、各グループの中心位置）の画素ｐｘの切替時期に当該画素ｐｘに対応する照射領域内の領域に電磁波が照射されるように、駆動信号を進行方向変更部１６に送信してもよい。
【００７９】
または、Ｔｉｍｇ／Ｔｄｉｓの値が進行部２０の画素数より少ない構成において、制御部１４は、進行部２０における全画素ｐｘを、Ｔｉｍｇ／Ｔｄｉｓの数以下のグループに分け、グループ毎にいずれかの画素ｐｘのみを切替える。さらに、制御部１４は、切替える当該画素ｐｘの切替時期に当該画素ｐｘに対応する照射領域内の領域に電磁波が照射されるように、駆動信号を進行方向変更部１６に送信してもよい。
【００８０】
なお、１フレーム分の画像の撮像時間中に第１の状態に切替えられた進行部２０の画素ｐｘに対応する第２の検出部１８における検出素子は、当該画素ｐｘが第１の状態に切替えられている間、受光することができない。そのため、第２の検出部１８における当該検出素子による信号強度は低下する。そこで、制御部１４は、第２の検出部１８における当該検出素子の信号値にゲインを乗じることにより、低下した信号強度を補償してもよい。なお、１フレーム分の画像の撮像時間は、１フレーム分の画像情報を生成するために第２の検出部１８が電磁波を検出している時間に相当する。
【００８１】
なお、進行方向変更部１６による走査速度が画素ｐｘの切替速度よりも高速である、すなわち、ＴｓｃｎがＴｄｉｓより短い構成において、制御部１４は、第（Ｍ−１）の画素ｐｘの第２の状態から第１の状態への切替えが完了する時期よりも前に、第Ｍの画素ｐｘの第２の状態から第１の状態への切替えを開始させてよい。
【００８２】
なお、Ｔｓｃｎは、照射源１５から放射されて進行方向変更部１６により反射された電磁波の照射位置が、ある照射位置から次の照射位置へ変わるために要する時間、または、ある照射位置から隣の照射位置へ変わるために要する時間である。このような構成は、任意の画素ｐｘの第１の状態から第２の状態への切替えの完了後に他の画素ｐｘの第１の状態への切替えを行なう制御よりも、短時間でより多くの画素ｐｘにおける距離情報を生成し得る。
【００８３】
タイミングｔ１から第１フレームの画像情報の生成のための時間Ｔｉｍｇの経過後のｔ５において（“第１の検出部検出時期”欄参照.）、制御部１４は、第２のフレームの画像情報の生成のための電磁波の検出を開始させる。また、制御部１４は、タイミングｔ１からｔ５における第２の検出部１８による電磁波の検出が終了した後、その間に検出した電磁波に基づく第１のフレームの画像情報を取得する。以後、制御部１４は、タイミングｔ１からｔ５の間に行った制御と同じ様に、画像情報の取得および距離情報の取得のための照射源１５、進行方向変更部１６、第１の検出部１７、第２の検出部１８、および進行部２０の制御を行う。
【００８４】
また、制御部１４は、進行部２０の中で反射波を第１の検出部１７に進行させている画素ｐｘ（進行素子）の位置に基づいて、関連情報を更新する。本実施形態において、制御部１４は、関連情報の更新として、第１の関連情報から第６の関連情報のいずれかを更新する。第１の関連情報から第６の関連情報の中で更新させる関連情報は、選択可能である。なお、関連情報の選択は自動であっても手動であってもよい。本実施形態においては、例えば、選択は、操作者が電磁波検出装置１０の入力デバイスを介して行い得る。以下に、関連情報の更新が詳細に、説明される。
【００８５】
図１４に示すように、制御部１４は、関連情報を更新するために、進行部２０における所定の位置の画素ｐｘを第１の状態（符号“ｓ１”参照）に切替え、他の位置の画素ｐｘを第２の状態（符号“ｓ２”参照）に切替させる。なお、図１４において、図示の簡易化のために、進行部２０を５行６列の３０個の画素ｐｘで構成しているが、画素ｐｘの数は３０個に限定されない。
【００８６】
なお、所定の位置の画素ｐｘは、第１の対応情報が駆動信号に対する放射方向の関数、または、放射方向に対する駆動信号の関数である構成においては、少なくとも１つであればよい。また、所定の位置の画素ｐｘは、第１の対応情報が駆動信号の複数の信号値毎に別々に対応付けられる放射方向、または、放射方向毎に別々に対応付けられる駆動信号の複数の信号値である構成においては、複数であればよい。なお、所定の位置の画素ｐｘの数が多くなる程、更新精度が向上する。また、所定の位置の画素ｐｘが複数である構成においては、複数の画素ｐｘは互いに離れていることが好ましい。例えば、複数の画素ｐｘは、所定の画素間隔以上の間隔で離される。
【００８７】
また、制御部１４は、記憶部１３から読出した第２の対応情報に基づいて、基準時間からの経過時間に対応した信号値の駆動信号を進行方向変更部１６に送信する。制御部１４は、連続的な電磁波放射信号を照射源１５に送信する。
【００８８】
経過時間に対応した信号値の駆動信号に応じて進行方向変更部１６が反射面を傾斜させることにより、放射方向は経過時間に応じて変化する。例えば、経過時間に応じた所定の軌跡ｌｏで、進行部２０の画素ｐｘが電磁波の反射波により走査される。電磁波の反射波が第２の状態である画素ｐｘに入射している間、第１の検出部１７は電磁波を検出しない。一方、電磁波の反射波が第１の状態である画素ｐｘに入射するとき、第１の検出部１７は電磁波を検出する。
【００８９】
制御部１４は、第１の状態である所定の位置の画素ｐｘに対応する駆動信号の信号値を、第１の関連情報および第１の対応情報に基づいて、算出する。さらに、制御部１４は、算出された信号値になる経過時間を、第２の対応情報に基づいて、算出する。
【００９０】
制御部１４は、第１の検出部１７が反射波を検出する基準時間からの実際の経過時間を観察する。駆動信号に対する推定される電磁波の放射方向および実際の放射方向が一致するとき、第１の状態である所定の位置の画素ｐｘに反射波が入射する推定の経過時間および実際の経過時間は一致する。
【００９１】
一方、図１５に示すように、推定される放射方向および実際の放射方向に差異があるとき、推定の経過時間（破線参照）および実際の経過時間（実線参照）の間にも差異が発生する。制御部１４は、所定の位置の画素ｐｘ毎の推定される経過時間に最近する実際の経過時間を組合せる。
【００９２】
制御部１４は、実際の経過時間に組合わされた推定される経過時間に基づいて、実際の経過時間において、第１の状態あり且つ反射光が入射する画素ｐｘを特定する。さらに、制御部１４は、実際の経過時間を用いて、第２の対応情報に基づいて、第１の検出部１７が反射波を検出するときの駆動信号を算出する。さらに、制御部１４は、算出された駆動信号を用いて、第１の対応情報に基づいて、電磁波の放射方向を算出する。
【００９３】
関連情報の更新における、ここまでの制御部１４の制御は、第１の関連情報から第６の関連情報に共通する。以後の制御は、第１の関連情報から第６の関連情報毎に異なっており、個別に説明される。
【００９４】
第１の関連情報の更新において、制御部１４は、算出された放射方向および特定された画素ｐｘの位置に基づいて、第１の関連情報を更新する。
【００９５】
例えば、第１の関連情報が、電磁波の放射方向に対する画素ｐｘの位置の関数である構成においては、制御部１４は、組合せに基づいて、当該関数を更新する。制御部１４は更新した関数を電磁波の放射方向および画素ｐｘの位置の最新の関連性、すなわち、最新の第１の関連情報として、記憶部１３に記憶させる。
【００９６】
また、例えば、第１の関連情報が、電磁波の放射方向毎に別々に対応付けられる画素ｐｘの位置である構成において、制御部１４は、記憶部１３に記憶されている各組合せにおける画素ｐｘの位置を、その画素ｐｘの位置に組合わされている各放射方向それぞれに対応付けられている画素ｐｘの位置、即ち、最新の第１の関連情報として記憶部１３に記憶させる。
【００９７】
また、例えば、第１の関連情報が、画素ｐｘの位置毎に別々に対応付けられる放射方向である構成において、制御部１４は、記憶部１３に記憶されている各組合せにおける各放射方向を、その各放射方向と組合されている画素ｐｘの位置それぞれに対応付けられる最新の放射方向、即ち、最新の第１の関連情報として、記憶部１３に記憶させる。
【００９８】
第２の関連情報の更新において、制御部１４は、特定した画素ｐｘの所定の位置を用いて、第３の関連情報に基づき、画素ｐｘの位置に対応する照射位置を算出する。さらに、制御部１４は、算出された、放射方向および照射位置に基づいて、第２の関連情報を更新する。
【００９９】
例えば、第２の関連情報が、電磁波の放射方向に対する照射位置の関数である構成においては、制御部１４は、組合せに基づいて、当該関数を更新する。制御部１４は更新した関数を電磁波の放射方向および照射位置の最新の関連性、すなわち、最新の第２の関連情報として、記憶部１３に記憶させる。
【０１００】
また、例えば、第２の関連情報が、電磁波の放射方向毎に別々に対応付けられる照射位置である構成において、制御部１４は、記憶部１３に記憶されている各組合せにおける照射位置を、その照射位置に組合わされている各放射方向それぞれに対応付けられている照射位置、即ち、最新の第２の関連情報として記憶部１３に記憶させる。
【０１０１】
また、例えば、第２の関連情報が、照射位置毎に別々に対応付けられる放射方向である構成において、制御部１４は、記憶部１３に記憶されている各組合せにおける各放射方向を、その各放射方向と組合されている照射位置それぞれに対応付けられる最新の放射方向、即ち、最新の第２の関連情報として、記憶部１３に記憶させる。
【０１０２】
第３の関連情報の更新において、制御部１４は、算出された放射方向を用いて、第２の関連情報に基づいて、電磁波の照射位置を算出する。制御部１４は、算出された照射位置および特定された画素ｐｘの位置に基づいて、第３の関連情報を更新する。
【０１０３】
例えば、第３の関連情報が、照射位置に対する画素ｐｘの位置の関数である構成においては、制御部１４は、組合せに基づいて、当該関数を更新する。制御部１４は更新した関数を照射位置および画素ｐｘの位置の最新の関連性、すなわち、最新の第３の関連情報として、記憶部１３に記憶させる。
【０１０４】
また、例えば、第３の関連情報が、照射位置毎に別々に対応付けられる画素ｐｘの位置である構成において、制御部１４は、記憶部１３に記憶されている各組合せにおける画素ｐｘの位置を、その画素ｐｘの位置に組合わされている各照射位置それぞれに対応付けられている画素ｐｘの位置、即ち、最新の第３の関連情報として記憶部１３に記憶させる。
【０１０５】
また、例えば、第３の関連情報が、画素ｐｘの位置毎に別々に対応付けられる照射位置である構成において、制御部１４は、記憶部１３に記憶されている各組合せにおける各照射位置を、その各照射位置と組合されている画素ｐｘの位置それぞれに対応付けられる最新の照射位置、即ち、最新の第３の関連情報として、記憶部１３に記憶させる。
【０１０６】
第４の関連情報の更新において、制御部１４は、特定した画素ｐｘの所定の位置を用いて、第５の関連情報に基づき、画素ｐｘに対応する検出素子の位置を算出する。さらに、制御部１４は、算出された、放射方向および検出素子の位置に基づいて、第４の関連情報を更新する。
【０１０７】
例えば、第４の関連情報が、電磁波の放射方向に対する検出素子の位置の関数である構成においては、制御部１４は、組合せに基づいて、当該関数を更新する。制御部１４は更新した関数を電磁波の放射方向および検出素子の位置の最新の関連性、すなわち、最新の第４の関連情報として、記憶部１３に記憶させる。
【０１０８】
また、例えば、第４の関連情報が、放射方向毎に別々に対応付けられる検出素子の位置である構成において、制御部１４は、記憶部１３に記憶されている各組合せにおける検出素子の位置を、その検出素子の位置に組合わされている各放射方向それぞれに対応付けられている検出素子の位置、即ち、最新の第４の関連情報として記憶部１３に記憶させる。
【０１０９】
また、例えば、第４の関連情報が、検出素子の位置毎に別々に対応付けられる放射方向である構成において、制御部１４は、記憶部１３に記憶されている各組合せにおける各放射方向を、その各放射方向と組合されている検出素子の位置それぞれに対応付けられる最新の放射方向、即ち、最新の第４の関連情報として、記憶部１３に記憶させる。
【０１１０】
第５の関連情報の更新において、制御部１４は、算出された放射方向を用いて、第４の関連情報に基づいて、放射方向に対応する検出素子の位置を算出する。制御部１４は、特定した画素ｐｘの位置、および算出された検出素子の位置に基づいて、第５の関連情報を更新する。
【０１１１】
例えば、第５の関連情報が、画素ｐｘの位置に対する検出素子の位置の関数である構成においては、制御部１４は、組合せに基づいて、当該関数を更新する。制御部１４は更新した関数を画素ｐｘの位置および検出素子の位置の最新の関連性、すなわち、最新の第５の関連情報として、記憶部１３に記憶させる。
【０１１２】
また、例えば、第５の関連情報が、画素ｐｘの位置毎に別々に対応付けられる検出素子の位置である構成において、制御部１４は、記憶部１３に記憶されている各組合せにおける検出素子の位置を、その検出素子の位置に組合わされている各画素ｐｘの位置それぞれに対応付けられている検出素子の位置、即ち、最新の第５の関連情報として記憶部１３に記憶させる。
【０１１３】
また、例えば、第５の関連情報が、検出素子の位置毎に別々に対応付けられる画素ｐｘの位置である構成において、制御部１４は、記憶部１３に記憶されている各組合せにおける画素ｐｘの各位置を、その画素ｐｘの各位置と組合されている検出素子の位置それぞれに対応付けられる最新の画素ｐｘの位置、即ち、最新の第５の関連情報として、記憶部１３に記憶させる。
【０１１４】
第６の関連情報の更新において、制御部１４は、特定した画素ｐｘの所定の位置を用いて、第５の関連情報に基づき、画素ｐｘに対応する検出素子の位置を算出する。さらに、制御部１４は、算出された放射方向を用いて、第２の関連情報に基づいて、電磁波の照射位置を算出する。制御部１４は、算出された、照射位置および検出素子の位置に基づいて、第６の関連情報を更新する。
【０１１５】
例えば、第６の関連情報が、照射位置に対する検出素子の位置の関数である構成においては、制御部１４は、組合せに基づいて、当該関数を更新する。制御部１４は更新した関数を照射位置および検出素子の位置の最新の関連性、すなわち、最新の第６の関連情報として、記憶部１３に記憶させる。
【０１１６】
また、例えば、第６の関連情報が、照射位置毎に別々に対応付けられる検出素子の位置である構成において、制御部１４は、記憶部１３に記憶されている各組合せにおける検出素子の位置を、その検出素子の位置に組合わされている各照射位置それぞれに対応付けられている検出素子の位置、即ち、最新の第６の関連情報として記憶部１３に記憶させる。
【０１１７】
また、例えば、第６の関連情報が、検出素子の位置毎に別々に対応付けられる照射位置である構成において、制御部１４は、記憶部１３に記憶されている各組合せにおける各照射位置を、その各照射位置と組合されている検出素子の位置それぞれに対応付けられる最新の照射位置、即ち、最新の第６の関連情報として、記憶部１３に記憶させる。
【０１１８】
次に、第１の実施形態において制御部１４が実行する、第１の関連情報の更新処理について、図１６のフローチャートを用いて説明する。制御部１４は、例えば、電磁波検出装置１０の入力デバイスが第１の関連情報の更新処理実行の操作を検出するとき、第１の関連情報の更新処理を開始する。
【０１１９】
ステップＳ１００において、制御部１４は、進行部２０の所定の位置の画素ｐｘを第１の状態に切替させる。制御部１４が所定の画素ｐｘを第１の状態に切替させると、プロセスはステップＳ１０１に進む。
【０１２０】
ステップＳ１０１では、制御部１４は、記憶部１３から第１の関連情報、第１の対応情報、および第２の対応情報を読出す。制御部１４がこれらの情報を読出すと、プロセスはステップＳ１０２に進む。
【０１２１】
ステップＳ１０２では、制御部１４は、ステップＳ１００において第１の状態に切替えた所定の画素ｐｘに反射波が到達する、基準時間からの推定の経過時間を、ステップＳ１０１において読出した第１の関連情報、第１の対応情報、および第２の対応情報に基づいて算出する。制御部１４が推定の経過時間を算出すると、プロセスはステップＳ１０３に進む。
【０１２２】
ステップＳ１０３では、制御部１４は、経過時間に応じた関数である駆動信号を進行方向変更部１６に送信する。また、制御部１４は、連続的な電磁波放射信号を照射源１５に送信する。制御部１４が駆動信号および電磁波放射信号を送信すると、プロセスはステップＳ１０４に進む。
【０１２３】
ステップＳ１０４では、制御部１４は、第１の検出部１７を駆動する。制御部１４は、第１の検出部１７の駆動により、反射波を検出するときの基準時間からの実際の経過時間を取得する。制御部１４が実際の経過時間を取得すると、プロセスはステップＳ１０５に進む。
【０１２４】
ステップＳ１０５では、制御部１４は、第１の状態に切替えられた画素ｐｘ毎に、ステップＳ１０２で推定された経過時間に対して最近の実際の経過時間を組合わせる。制御部１４が経過時間を組合わせると、プロセスはステップＳ１０６に進む。
【０１２５】
ステップＳ１０６では、制御部１４は、ステップＳ１０５において実際の経過時間に組合わされた推定の経過時間に対応する画素ｐｘの位置を特定する。制御部１４が画素ｐｘの位置を特定すると、プロセスはステップＳ１０７に進む。
【０１２６】
ステップＳ１０７では、制御部１４は、ステップＳ１０４において取得した実際の経過時間に対応する放射方向を、ステップＳ１０１において読出した第２の対応情報および第１の対応情報に基づいて、算出する。制御部１４が放射方向を算出すると、プロセスはステップＳ１０８に進む。
【０１２７】
ステップＳ１０８では、制御部１４は、ステップＳ１０７において算出された放射方向およびステップＳ１０６において特定した画素ｐｘの位置の組合せを用いて、記憶部１３に記憶した第１の関連情報を更新する。制御部１４は、第１の関連情報の更新後、第１の関連情報の更新処理を終了する。
【０１２８】
次に、第１の実施形態において制御部１４が実行する、第２の関連情報の更新処理について、図１７のフローチャートを用いて説明する。制御部１４は、例えば、電磁波検出装置１０の入力デバイスが第２の関連情報の更新処理実行の操作を検出するとき、第２の関連情報の更新処理を開始する。
【０１２９】
ステップＳ２００において、制御部１４は、進行部２０の所定の位置の画素ｐｘを第１の状態に切替させる。制御部１４が所定の画素ｐｘを第１の状態に切替させると、プロセスはステップＳ２０１に進む。
【０１３０】
ステップＳ２０１では、制御部１４は、記憶部１３から第１の関連情報、第３の関連情報、第１の対応情報、および第２の対応情報を読出す。制御部１４がこれらの情報を読出すと、プロセスはステップＳ２０２に進む。
【０１３１】
ステップＳ２０２からＳ２０６では、制御部１４は第１の関連情報の更新処理におけるステップＳ１０２からＳ１０６と同じ制御を実行する。ステップＳ２０６において、制御部１４が画素ｐｘの位置を判別すると、プロセスはステップＳ２０７に進む。
【０１３２】
ステップＳ２０７では、制御部１４は、ステップＳ２０６において特定した画素ｐｘの位置に対応する照射位置を、ステップＳ２０１において読出した第３の関連情報に基づいて、算出する。また、制御部１４は、ステップＳ２０４において取得した実際の経過時間に対応する放射方向を、ステップＳ２０１において読出した第２の対応情報および第１の対応情報に基づいて、算出する。制御部１４が照射位置および放射方向を算出すると、プロセスはステップＳ２０８に進む。
【０１３３】
ステップＳ２０８では、制御部１４は、ステップＳ２０７において算出された放射方向および照射位置の組合せを用いて、記憶部１３に記憶した第２の関連情報を更新する。制御部１４は、第２の関連情報の更新後、第２の関連情報の更新処理を終了する。
【０１３４】
次に、第１の実施形態において制御部１４が実行する、第３の関連情報の更新処理について、図１８のフローチャートを用いて説明する。制御部１４は、例えば、電磁波検出装置１０の入力デバイスが第３の関連情報の更新処理実行の操作を検出するとき、第３の関連情報の更新処理を開始する。
【０１３５】
ステップＳ３００において、制御部１４は、進行部２０の所定の位置の画素ｐｘを第１の状態に切替させる。制御部１４が所定の画素ｐｘを第１の状態に切替させると、プロセスはステップＳ３０１に進む。
【０１３６】
ステップＳ３０１では、制御部１４は、記憶部１３から第１の関連情報、第２の関連情報、第１の対応情報、および第２の対応情報を読出す。制御部１４がこれらの情報を読出すと、プロセスはステップＳ３０２に進む。
【０１３７】
ステップＳ３０２からＳ３０６では、制御部１４は第１の関連情報の更新処理におけるステップＳ１０２からＳ１０６と同じ制御を実行する。ステップＳ３０６において、制御部１４が画素ｐｘの位置を判別すると、プロセスはステップＳ３０７に進む。
【０１３８】
ステップＳ３０７では、制御部１４は、ステップＳ２０４において取得した実際の経過時間に対応する照射位置を、ステップＳ３０１において読出した第２の対応情報、第１の対応情報、および第２の関連情報に基づいて、算出する。制御部１４が照射位置を算出すると、プロセスはステップＳ３０８に進む。
【０１３９】
ステップＳ３０８では、制御部１４は、ステップＳ３０７において算出された照射位置およびステップＳ３０６において特定した画素ｐｘの位置の組合せを用いて、記憶部１３に記憶した第３の関連情報を更新する。制御部１４は、第３の関連情報の更新後、第３の関連情報の更新処理を終了する。
【０１４０】
次に、第１の実施形態において制御部１４が実行する、第４の関連情報の更新処理について、図１９のフローチャートを用いて説明する。制御部１４は、例えば、電磁波検出装置１０の入力デバイスが第４の関連情報の更新処理実行の操作を検出するとき、第４の関連情報の更新処理を開始する。
【０１４１】
ステップＳ４００において、制御部１４は、進行部２０の所定の位置の画素ｐｘを第１の状態に切替させる。制御部１４が所定の画素ｐｘを第１の状態に切替させると、プロセスはステップＳ４０１に進む。
【０１４２】
ステップＳ４０１では、制御部１４は、記憶部１３から第１の関連情報、第５の関連情報、第１の対応情報、および第２の対応情報を読出す。制御部１４がこれらの情報を読出すと、プロセスはステップＳ４０２に進む。
【０１４３】
ステップＳ４０２からＳ４０６では、制御部１４は第１の関連情報の更新処理におけるステップＳ１０２からＳ１０６と同じ制御を実行する。ステップＳ４０６において、制御部１４が画素ｐｘの位置を判別すると、プロセスはステップＳ４０７に進む。
【０１４４】
ステップＳ４０７では、制御部１４は、ステップＳ４０６において特定した画素ｐｘの位置に対応する検出素子の位置を、ステップＳ４０１において読出した第５の関連情報に基づいて、算出する。また、制御部１４は、ステップＳ４０４において取得した実際の経過時間に対応する放射方向を、ステップＳ４０１において読出した第２の対応情報および第１の対応情報に基づいて、算出する。制御部１４が検出素子の位置および放射方向を算出すると、プロセスはステップＳ４０８に進む。
【０１４５】
ステップＳ４０８では、制御部１４は、ステップＳ４０７において算出された照射位置および検出素子の位置の組合せを用いて、記憶部１３に記憶した第４の関連情報を更新する。制御部１４は、第４の関連情報の更新後、第４の関連情報の更新処理を終了する。
【０１４６】
次に、第１の実施形態において制御部１４が実行する、第５の関連情報の更新処理について、図２０のフローチャートを用いて説明する。制御部１４は、例えば、電磁波検出装置１０の入力デバイスが第５の関連情報の更新処理実行の操作を検出するとき、第５の関連情報の更新処理を開始する。
【０１４７】
ステップＳ５００において、制御部１４は、進行部２０の所定の位置の画素ｐｘを第１の状態に切替させる。制御部１４が所定の画素ｐｘを第１の状態に切替させると、プロセスはステップＳ５０１に進む。
【０１４８】
ステップＳ５０１では、制御部１４は、記憶部１３から第１の関連情報、第４の関連情報、第１の対応情報、および第２の対応情報を読出す。制御部１４がこれらの情報を読出すと、プロセスはステップＳ５０２に進む。
【０１４９】
ステップＳ５０２からＳ５０６では、制御部１４は第１の関連情報の更新処理におけるステップＳ１０２からＳ１０６と同じ制御を実行する。ステップＳ５０６において、制御部１４が画素ｐｘの位置を判別すると、プロセスはステップＳ５０７に進む。
【０１５０】
ステップＳ５０７では、制御部１４は、ステップＳ４０４において取得した実際の経過時間に対応する検出素子の位置を、ステップＳ５０１において読出した第２の対応情報、第１の対応情報、および第４の関連情報に基づいて、算出する。制御部１４が検出素子の位置を算出すると、プロセスはステップＳ５０８に進む。
【０１５１】
ステップＳ５０８では、制御部１４は、ステップＳ５０６において特定した画素ｐｘの位置およびステップＳ５０７において算出された検出素子の位置およびの組合せを用いて、記憶部１３に記憶した第５の関連情報を更新する。制御部１４は、第５の関連情報の更新後、第５の関連情報の更新処理を終了する。
【０１５２】
次に、第１の実施形態において制御部１４が実行する、第６の関連情報の更新処理について、図２１のフローチャートを用いて説明する。制御部１４は、例えば、電磁波検出装置１０の入力デバイスが第６の関連情報の更新処理実行の操作を検出するとき、第６の関連情報の更新処理を開始する。
【０１５３】
ステップＳ６００において、制御部１４は、進行部２０の所定の位置の画素ｐｘを第１の状態に切替させる。制御部１４が所定の画素ｐｘを第１の状態に切替させると、プロセスはステップＳ６０１に進む。
【０１５４】
ステップＳ６０１では、制御部１４は、記憶部１３から第１の関連情報、第２の関連情報、第５の関連情報、第１の対応情報、および第２の対応情報を読出す。制御部１４がこれらの情報を読出すと、プロセスはステップＳ６０２に進む。
【０１５５】
ステップＳ６０２からＳ６０６では、制御部１４は第１の関連情報の更新処理におけるステップＳ１０２からＳ１０６と同じ制御を実行する。ステップＳ６０６において、制御部１４が画素ｐｘの位置を判別すると、プロセスはステップＳ６０７に進む。
【０１５６】
ステップＳ６０７では、制御部１４は、ステップＳ６０６において特定した画素ｐｘの位置に対応する検出素子の位置を、ステップＳ６０１において読出した第５の関連情報に基づいて、算出する。また、制御部１４は、ステップＳ６０４において取得した実際の経過時間に対応する照射位置を、ステップＳ６０１において読出した第２の対応情報、第１の対応情報、および第２の関連情報に基づいて、算出する。制御部１４が検出素子の位置および放射方向を算出すると、プロセスはステップＳ６０８に進む。
【０１５７】
ステップＳ６０８では、制御部１４は、ステップＳ６０７において算出された照射位置および検出素子の位置の組合せを用いて、記憶部１３に記憶した第６の関連情報を更新する。制御部１４は、第６の関連情報の更新後、第６の関連情報の更新処理を終了する。
【０１５８】
以上のような構成の第１の実施形態の電磁波検出装置１０は、第１の検出部１７が前記反射波を検出するときに反射波を第１の検出部１７に進行させる画素ｐｘの所定の位置に基づいて、関連情報を更新している。このような構成により、電磁波検出装置１０は、放射方向と電磁波および反射波の経路上の２点をそれぞれ規定する２つの要素とのいずれか２つの推定された対応関係と、実際の対応関係との差異を低減させ得る。なお、このような構成および効果は、後述する第２の実施形態の電磁波検出装置１０についても同じである。
【０１５９】
特に、第１の実施形態の電磁波検出装置１０は、所定の位置の画素ｐｘ毎の推定される経過時間と最近する実際の経過時間との組合わせに基づいて、第１の検出部１７が反射波を検出するときに反射波を第１の検出部１７に進行させる画素ｐｘの所定の位置を特定している。このような構成により、第１の実施形態の電磁波検出装置１０では、反射波による進行部２０の１回の走査において、複数の画素ｐｘを関連情報の更新に用い得る。したがって、第１の実施形態の電磁波検出装置１０は、関連情報の更新に複数の画素ｐｘを用いる構成において、更新に用いる全画素ｐｘに関する反射波の検出時間を短縮させ得る。
【０１６０】
また、第１の実施形態の電磁波検出装置１０は、進行部２０の作用面ａｓに配置された画素ｐｘ毎に第１の状態と第２の状態に切替え得る。このような構成により、第１の実施形態の電磁波検出装置１０は、前段光学系１９の光軸を、第１の状態において電磁波を進行させる第１の方向ｄ１における第１の後段光学系２１の光軸に、かつ第２の状態において電磁波を進行させる第２の方向ｄ２における第２の後段光学系２２の光軸に合わせることが可能となる。したがって、第１の実施形態の電磁波検出装置１０は、進行部２０の画素ｐｘを第１の状態および第２の状態のいずれかに切替えることにより、第１の検出部１７および第２の検出部１８の光軸のズレを低減し得る。これにより、第１の実施形態の電磁波検出装置１０は、第１の検出部１７および第２の検出部１８における検出軸のズレを低減し得る。そのため、第１の実施形態の電磁波検出装置１０は、第１の検出部１７および第２の検出部１８による検出結果における座標系のズレを低減し得る。なお、このような構成および効果は、後述する第２の実施形態の電磁波検出装置１０についても同じである。
【０１６１】
また、第１の実施形態の電磁波検出装置１０は、進行部２０における一部の画素ｐｘを第１の状態に切替え、且つ別の一部の画素ｐｘを第２の状態に切替え得る。したがって、第１の実施形態の電磁波検出装置１０は、一部の画素ｐｘにおいて第１の検出部１７に電磁波を検出させながら、同時に別の一部の画素ｐｘにおいて第２の検出部１８に電磁波を検出させ得る。これにより、第１の実施形態の電磁波検出装置１０は、異なる領域に関する情報を同時に取得し得る。なお、このような構成および効果は、後述する第２の実施形態の電磁波検出装置１０についても同じである。
【０１６２】
また、第１の実施形態の電磁波検出装置１０は、進行部２０における同一の画素ｐｘを第１の状態の次に第２の状態に切替え得る。このような構成において、進行部２０における画素ｐｘの第１の状態において第１の検出部１７に電磁波が検出され得、その直後、当該画素ｐｘの第２の状態において第２の検出部１８に電磁波が検出され得る。したがって、第１の実施形態の電磁波検出装置１０は、進行部２０における同一の画素ｐｘによる第１の検出部１７および第２の検出部１８における電磁波の検出時期のズレを低減し得る。これにより、第１の実施形態の電磁波検出装置１０は、同一領域に関する情報の取得時期のズレを低減し得る。なお、このような構成および効果は、後述する第２の実施形態の電磁波検出装置１０についても同じである。
【０１６３】
また、第１の実施形態の電磁波検出装置１０は、照射源１５を有している。したがって、第１の実施形態の電磁波検出装置１０は、対象ｏｂに電磁波を照射することにより、第１の検出部１７をアクティブセンサとして機能させ得る。また、第１の実施形態の電磁波検出装置１０は、第２の検出部１８をパッシブセンサとして機能させ得る。このような構成において、第１の実施形態の電磁波検出装置１０は、進行部２０における画素ｐｘの少なくともいずれかを第１の状態の次に第２の状態に切替えることにより、同一領域に関する情報をアクティブセンサおよびパッシブセンサの両方に取得させ得る。また、このような構成において、第１の実施形態の電磁波検出装置１０は、進行部２０における一部の画素ｐｘを第１の状態に切替え、且つ別の一部の画素ｐｘを第２の状態に切替えることにより、アクティブセンサが情報を取得する領域とパッシブセンサが情報を取得する領域とを分け得る。なお、このような構成および効果は、後述する第２の実施形態の電磁波検出装置１０についても同じである。
【０１６４】
また、第１の実施形態の電磁波検出装置１０は、進行方向変更部１６を有している。このような構成により、第１の実施形態の電磁波検出装置１０は、照射源１５が放射する電磁波を用いて対象ｏｂを走査し得る。すなわち、第１の実施形態の電磁波検出装置１０は、第１の検出部１７を進行方向変更部１６と協同させて走査型のアクティブセンサとして機能させ得る。したがって、第１の実施形態の電磁波検出装置１０は、第１の検出部１７により、一次元方向または二次元方向の位置に応じて情報を取得し得る。なお、このような構成および効果は、後述する第２の実施形態の電磁波検出装置１０についても同じである。
【０１６５】
次に、本開示の第２の実施形態に係る電磁波検出装置について説明する。第２の実施形態では関連情報の更新方法が第１の実施形態と異なっている。以下に、第１の実施形態と異なる点を中心に第２の実施形態について説明する。なお、第１の実施形態と同じ構成を有する部位には同じ符号を付す。
【０１６６】
第２の実施形態に係る電磁波検出装置１０は、第１の実施形態の電磁波検出装置１０と同じく、照射部１１、電磁波検出部１２、記憶部１３、および制御部１４を含んで構成されている。第２の実施形態における、照射部１１、電磁波検出部１２、および記憶部１３の構成および機能は、第１の実施形態と同じである。第２の実施形態における、制御部１４の構成は、第１の実施形態と同じである。第２の実施形態における制御部１４の関連情報の更新以外の機能は、第１の実施形態と同じである。以下に、第２の実施形態の制御部１４が実行する関連情報の更新機能の詳細が説明される。
【０１６７】
第２の実施形態においても、制御部１４は、進行部２０の中で反射波を第１の検出部１７に進行させている画素ｐｘの位置に基づいて、関連情報を更新する。第２の実施形態において、制御部１４は、第１の実施形態と異なり、放射方向に関する情報を更新するために、進行部２０の中の所定の位置の単一の画素ｐｘを第１の状態に切替え、他の位置の画素ｐｘを第２の状態に切替えさせる。
【０１６８】
また、第２の実施形態において、制御部１４は、第１の実施形態と同じく、信号値が基準時間からの経過時間の関数である駆動信号を進行方向変更部１６に送信する。制御部１４は、連続的な電磁波放射信号を照射源１５に送信する。
【０１６９】
第２の実施形態において、制御部１４は、第１の実施形態と同じく、第１の検出部１７が反射波を検出する基準時間からの実際の経過時間を観察する。第２の実施形態において、制御部１４は、第１の実施形態と同じく、実際の経過時間を用いて、第２の対応情報に基づいて、第１の検出部１７が反射波を検出するときの駆動信号を算出する。第２の実施形態において、制御部１４は、第１の実施形態と同じく、算出された駆動信号を用いて、第１の対応情報に基づいて、電磁波の放射方向を算出する。
【０１７０】
第２の実施形態の関連情報の更新における、ここまでの制御部１４の制御は、第１の関連情報から第６の関連情報に共通する。以後の、制御は第１の関連情報から第６の関連情報毎に異なっており、個別に説明される。
【０１７１】
第２の実施形態では第１の実施形態と異なり、第１の関連情報の更新において、制御部１４は、算出された放射方向および画素ｐｘの所定の位置を組合わせて、記憶部１３に記憶させる。第２の実施形態では第１の実施形態と異なり、第１の関連情報の更新に複数の画素ｐｘを用いる構成においては、制御部１４は、さらに、別の位置の単一の画素ｐｘを第１の状態に切替え、他の画素ｐｘを第２の状態に切替えて、当該別の位置の単一の画素ｐｘに対する放射方向を算出する。
【０１７２】
第２の実施形態では第１の実施形態と異なり、第１の関連情報の更新において、制御部１４は、当該画素ｐｘの別の位置および放射方向を組合わせて、記憶部１３に記憶させる。以後、制御部１４は、第１の関連情報の更新に用いる画素ｐｘの数と同じ回数で、同様の制御を行ない、放射方向および画素ｐｘの位置を組合わせて、記憶部１３に記憶させる。
【０１７３】
第２の実施形態では、第１の関連情報の更新において、制御部１４は、記憶部１３において組合わされて記憶された、放射方向および画素ｐｘの位置に基づいて、第１の関連情報を更新する。なお、第１の関連情報の更新方法は、第１の実施形態と同じである。
【０１７４】
第２の実施形態では、第２の関連情報の更新において、制御部１４は、画素ｐｘの所定の位置を用いて、第３の関連情報に基づき、照射位置を算出する。第２の実施形態では第１の実施形態と異なり、さらに、制御部１４は、算出された放射方向および照射位置を組合わせて、記憶部１３に記憶させる。
【０１７５】
第２の実施形態では、第２の関連情報の更新において、制御部１４は、第１の関連情報の更新と類似して、別の位置の単一の画素ｐｘを第１の状態に切替え、他の画素ｐｘを第２の状態に切替えて、当該別の位置の単一の画素ｐｘの位置に対応する放射方向および照射位置を算出する。第２の実施形態では第１の実施形態と異なり、第２の関連情報の更新において、制御部１４は、当該画素ｐｘの別の位置に対応する放射方向および照射位置を組合わせて、記憶部１３に記憶させる。
【０１７６】
第２の実施形態では、第２の関連情報の更新において、以後、制御部１４は、第２の関連情報の更新に用いる画素ｐｘの数と同じ回数で、同様の制御を行ない、放射方向および照射位置を組合わせて、記憶部１３に記憶させる。さらに、制御部１４は、記憶部１３において組合わされて記憶された、放射方向および照射位置に基づいて、第２の関連情報を更新する。なお、第２の関連情報の更新方法は、第１の実施形態と同じである。
【０１７７】
第２の実施形態では、第３の関連情報の更新において、制御部１４は、算出された放射方向を用いて、第２の関連情報に基づき、照射位置を算出する。第２の実施形態では第１の実施形態と異なり、さらに、制御部１４は、算出された照射位置および画素ｐｘの所定の位置を組合わせて、記憶部１３に記憶させる。
【０１７８】
第２の実施形態では、第３の関連情報の更新において、制御部１４は、第１の関連情報の更新と類似して、別の位置の単一の画素ｐｘを第１の状態に切替え、他の画素ｐｘを第２の状態に切替えて、当該別の位置の単一の画素ｐｘの位置に対応する照射位置を算出する。第２の実施形態では第１の実施形態と異なり、第３の関連情報の更新において、制御部１４は、当該画素ｐｘの別の位置に対応する照射位置および画素ｐｘの別の位置を組合わせて、記憶部１３に記憶させる。
【０１７９】
第２の実施形態では、第３の関連情報の更新において、以後、制御部１４は、第３の関連情報の更新に用いる画素ｐｘの数と同じ回数で、同様の制御を行ない、照射位置および画素ｐｘの位置を組合わせて、記憶部１３に記憶させる。さらに、制御部１４は、記憶部１３において組合わされて記憶された、照射位置および画素ｐｘの位置に基づいて、第３の関連情報を更新する。なお、第３の関連情報の更新方法は、第１の実施形態と同じである。
【０１８０】
第２の実施形態では、第４の関連情報の更新において、制御部１４は、画素ｐｘの所定の位置を用いて、第５の関連情報に基づき、検出素子の位置を算出する。第２の実施形態では第１の実施形態と異なり、さらに、制御部１４は、算出された放射方向および検出素子の位置を組合わせて、記憶部１３に記憶させる。
【０１８１】
第２の実施形態では、第４の関連情報の更新において、制御部１４は、第１の関連情報の更新と類似して、別の位置の単一の画素ｐｘを第１の状態に切替え、他の画素ｐｘを第２の状態に切替えて、当該別の位置の単一の画素ｐｘの位置に対応する検出素子の位置を算出する。第２の実施形態では第１の実施形態と異なり、第４の関連情報の更新において、制御部１４は、当該画素ｐｘの別の位置に対応する放射方向および検出素子の位置を組合わせて、記憶部１３に記憶させる。
【０１８２】
第２の実施形態では、第４の関連情報の更新において、以後、制御部１４は、第４の関連情報の更新に用いる画素ｐｘの数と同じ回数で、同様の制御を行ない、放射方向および検出素子の位置を組合わせて、記憶部１３に記憶させる。さらに、制御部１４は、記憶部１３において組合わされて記憶された、放射方向および検出素子の位置に基づいて、第４の関連情報を更新する。なお、第４の関連情報の更新方法は、第１の実施形態と同じである。
【０１８３】
第２の実施形態では、第５の関連情報の更新において、制御部１４は、算出された放射方向を用いて、第４の関連情報に基づき、検出素子の位置を算出する。第２の実施形態では第１の実施形態と異なり、さらに、制御部１４は、画素ｐｘの所定の位置および検出素子の位置を組合わせて、記憶部１３に記憶させる。
【０１８４】
第２の実施形態では、第５の関連情報の更新において、制御部１４は、第１の関連情報の更新と類似して、別の位置の単一の画素ｐｘを第１の状態に切替え、他の画素ｐｘを第２の状態に切替えて、当該別の位置の単一の画素ｐｘの位置に対応する検出素子の位置を算出する。第２の実施形態では第１の実施形態と異なり、第５の関連情報の更新において、制御部１４は、当該画素ｐｘの別の位置および検出素子の位置を組合わせて、記憶部１３に記憶させる。
【０１８５】
第２の実施形態では、第５の関連情報の更新において、以後、制御部１４は、第５の関連情報の更新に用いる画素ｐｘの数と同じ回数で、同様の制御を行ない、画素ｐｘの位置および検出素子の位置を組合わせて、記憶部１３に記憶させる。さらに、制御部１４は、記憶部１３において組合わされて記憶された、画素ｐｘの位置および検出素子の位置に基づいて、第５の関連情報を更新する。なお、第５の関連情報の更新方法は、第１の実施形態と同じである。
【０１８６】
第２の実施形態では、第６の関連情報の更新において、制御部１４は、画素ｐｘの所定の位置を用いて、第５の関連情報に基づき、検出素子の位置を算出する。また、第２の実施形態では、第６の関連情報の更新において、制御部１４は、算出された放射方向を用いて、第２の関連情報に基づき、電磁波の照射位置を算出する。第２の実施形態では第１の実施形態と異なり、さらに、制御部１４は、照射位置および検出素子の位置を組合わせて、記憶部１３に記憶させる。
【０１８７】
第２の実施形態では、第６の関連情報の更新において、制御部１４は、第１の関連情報の更新と類似して、別の位置の単一の画素ｐｘを第１の状態に切替え、他の画素ｐｘを第２の状態に切替えて、当該別の位置の単一の画素ｐｘの位置に対応する照射位置および検出素子の位置を算出する。第２の実施形態では第１の実施形態と異なり、第６の関連情報の更新において、制御部１４は、当該画素ｐｘの別の位置に対応する照射位置および検出素子の位置を組合わせて、記憶部１３に記憶させる。
【０１８８】
第２の実施形態では、第６の関連情報の更新において、以後、制御部１４は、第６の関連情報の更新に用いる画素ｐｘの数と同じ回数で、同様の制御を行ない、照射位置および検出素子の位置を組合わせて、記憶部１３に記憶させる。さらに、制御部１４は、記憶部１３において組合わされて記憶された、照射位置および検出素子の位置に基づいて、第６の関連情報を更新する。なお、第６の関連情報の更新方法は、第１の実施形態と同じである。
【０１８９】
次に、第２の実施形態において制御部１４が実行する、第１の関連情報の更新処理について、図２２のフローチャートを用いて説明する。制御部１４は、例えば、電磁波検出装置１０の入力デバイスが第１の関連情報の更新処理実行の操作を検出するとき、第１の関連情報の更新処理を開始する。
【０１９０】
ステップＳ７００において、制御部１４は、進行部２０の所定の位置の単一の画素ｐｘを第１の状態に切替させる。制御部１４が所定の位置の単一の画素ｐｘを第１の状態に切替させると、プロセスはステップＳ７０１に進む。
【０１９１】
ステップＳ７０１では、制御部１４は、経過時間に応じた関数である駆動信号を進行方向変更部１６に送信する。また、制御部１４は、連続的な電磁波放射信号を照射源１５に送信する。制御部１４が駆動信号および電磁波放射信号を送信すると、プロセスはステップＳ７０２に進む。
【０１９２】
ステップＳ７０２では、制御部１４は、第１の検出部１７を駆動する。制御部１４は、第１の検出部１７の駆動により、反射波を検出するときの基準時間からの実際の経過時間を取得する。制御部１４が実際の経過時間を取得すると、プロセスはステップＳ７０３に進む。
【０１９３】
ステップＳ７０３では、制御部１４は、記憶部１３から第１の対応情報および第２の対応情報を読出す。制御部１４が第１の対応情報および第２の対応情報を読出すと、プロセスはステップＳ７０４に進む。
【０１９４】
ステップＳ７０４では、制御部１４は、ステップＳ７０２において取得した実際の経過時間を用いて、ステップＳ７０３において読出した第２の対応情報および第１の対応情報に基づいて、放射方向を算出する。制御部１４が放射方向を算出すると、プロセスはステップＳ７０５に進む。
【０１９５】
ステップＳ７０５では、制御部１４は、ステップＳ７０４において算出された放射方向と、ステップＳ７００において第１の状態に切替えた画素ｐｘの位置とを組合わせて、記憶部１３に記憶させる。制御部１４が算出された放射方向および画素ｐｘの位置を記憶させると、プロセスはステップＳ７０６に進む。
【０１９６】
ステップＳ７０６では、制御部１４は、ステップＳ７０５において記憶した組合せが所定の数以上であるか否かを判別する。組合せが所定の数以上でないとき、プロセスはステップＳ７０７に進む。組合せが所定の数以上であるとき、プロセスはステップＳ７０８に進む。
【０１９７】
ステップＳ７０７では、制御部１４は、第１の状態に切替える画素ｐｘの所定の位置を、未だに切替えられていない位置に変更する。制御部１４が所定の位置を変更すると、プロセスはステップＳ７００に戻る。
【０１９８】
ステップＳ７０８では、制御部１４は、ステップＳ７０５において記憶された放射方向および画素ｐｘの位置の組合せを用いて、記憶部１３に記憶した第１の関連情報を更新する。制御部１４は、第１の関連情報の更新後、第１の関連情報の更新処理を終了する。
【０１９９】
次に、第２の実施形態において制御部１４が実行する、第２の関連情報の更新処理について、図２３のフローチャートを用いて説明する。制御部１４は、例えば、電磁波検出装置１０の入力デバイスが第２の関連情報の更新処理実行の操作を検出するとき、第２の関連情報の更新処理を開始する。
【０２００】
ステップＳ８００からＳ８０２では、制御部１４は第１の関連情報の更新処理におけるステップＳ７００からＳ７０２と同じ制御を実行する。ステップＳ７０２において、制御部１４が実際の経過時間を取得すると、プロセスはステップＳ８０３に進む。
【０２０１】
ステップＳ８０３では、制御部１４は、記憶部１３から第１の関連情報、第１の対応情報、および第２の対応情報を読出す。制御部１４が第１の関連情報、第１の対応情報、および第２の対応情報を読出すと、プロセスはステップＳ８０４に進む。
【０２０２】
ステップＳ８０４では、制御部１４は、ステップＳ８０２において取得した実際の経過時間を用いて、ステップＳ８０３において読出した第２の対応情報および第１の対応情報に基づいて、放射方向を算出する。また、制御部１４は、ステップＳ８００において第１の状態に切替えた画素ｐｘの位置を用いて、ステップＳ８０３において読出した第３の関連情報に基づいて、照射位置を算出する。制御部１４が放射方向および照射位置を算出すると、プロセスはステップＳ８０５に進む。
【０２０３】
ステップＳ８０５では、制御部１４は、ステップＳ８０４において算出された放射方向および照射位置を組合わせて、記憶部１３に記憶させる。制御部１４が算出された放射方向および照射位置を記憶させると、プロセスはステップＳ８０６に進む。
【０２０４】
ステップＳ８０６、Ｓ８０７では、制御部１４は第１の関連情報の更新処理におけるステップＳ７０６、Ｓ７０７と同じ制御を実行する。ステップＳ８０６において、組合せが所定の数以上であるとき、プロセスはステップＳ８０８に進む。
【０２０５】
ステップＳ８０８では、制御部１４は、ステップＳ８０５において記憶された放射方向および照射位置の組合せを用いて、記憶部１３に記憶した第２の関連情報を更新する。制御部１４は、第２の関連情報の更新後、第２の関連情報の更新処理を終了する。
【０２０６】
次に、第２の実施形態において制御部１４が実行する、第３の関連情報の更新処理について、図２４のフローチャートを用いて説明する。制御部１４は、例えば、電磁波検出装置１０の入力デバイスが第３の関連情報の更新処理実行の操作を検出するとき、第３の関連情報の更新処理を開始する。
【０２０７】
ステップＳ９００からＳ９０２では、制御部１４は第１の関連情報の更新処理におけるステップＳ７００からＳ７０２と同じ制御を実行する。ステップＳ９０２において、制御部１４が実際の経過時間を取得すると、プロセスはステップＳ９０３に進む。
【０２０８】
ステップＳ９０３では、制御部１４は、記憶部１３から第２の関連情報、第１の対応情報、および第２の対応情報を読出す。制御部１４が第２の関連情報、第１の対応情報、および第２の対応情報を読出すと、プロセスはステップＳ９０４に進む。
【０２０９】
ステップＳ９０４では、制御部１４は、ステップＳ９０２において取得した実際の経過時間を用いて、ステップＳ９０３において読出した第２の対応情報、第１の対応情報、および第２の関連情報に基づいて、照射位置を算出する。制御部１４が照射位置を算出すると、プロセスはステップＳ９０５に進む。
【０２１０】
ステップＳ９０５では、制御部１４は、ステップＳ９０４において算出された照射位置と、ステップＳ９００において第１の状態に切替えた画素ｐｘの位置とを組合わせて、記憶部１３に記憶させる。制御部１４が照射位置および画素ｐｘの位置を記憶させると、プロセスはステップＳ９０６に進む。
【０２１１】
ステップＳ９０６、Ｓ９０７では、制御部１４は第１の関連情報の更新処理におけるステップＳ７０６、Ｓ７０７と同じ制御を実行する。ステップＳ９０６において、組合せが所定の数以上であるとき、プロセスはステップＳ９０８に進む。
【０２１２】
ステップＳ９０８では、制御部１４は、ステップＳ９０５において記憶された照射位置および画素ｐｘの位置の組合せを用いて、記憶部１３に記憶した第３の関連情報を更新する。制御部１４は、第３の関連情報の更新後、第３の関連情報の更新処理を終了する。
【０２１３】
次に、第２の実施形態において制御部１４が実行する、第４の関連情報の更新処理について、図２５のフローチャートを用いて説明する。制御部１４は、例えば、電磁波検出装置１０の入力デバイスが第４の関連情報の更新処理実行の操作を検出するとき、第４の関連情報の更新処理を開始する。
【０２１４】
ステップＳ１０００からＳ１００２では、制御部１４は第１の関連情報の更新処理におけるステップＳ７００からＳ７０２と同じ制御を実行する。ステップＳ１００２において、制御部１４が実際の経過時間を取得すると、プロセスはステップＳ１００３に進む。
【０２１５】
ステップＳ１００３では、制御部１４は、記憶部１３から第５の関連情報、第１の対応情報、および第２の対応情報を読出す。制御部１４が第５の関連情報、第１の対応情報、および第２の対応情報を読出すと、プロセスはステップＳ１００４に進む。
【０２１６】
ステップＳ１００４では、制御部１４は、ステップＳ１００２において取得した実際の経過時間を用いて、ステップＳ１００３において読出した第２の対応情報および第１の対応情報に基づいて、放射方向を算出する。また、制御部１４は、ステップＳ１０００において第１の状態に切替えた画素ｐｘの位置を用いて、ステップＳ１００３において読出した第５の関連情報に基づき、検出素子の位置を算出する。制御部１４が放射方向および検出素子の位置を算出すると、プロセスはステップＳ１００５に進む。
【０２１７】
ステップＳ１００５では、制御部１４は、ステップＳ１００４において算出された放射方向および検出素子の位置を組合わせて、記憶部１３に記憶させる。制御部１４が放射方向および検出素子の位置を記憶させると、プロセスはステップＳ１００６に進む。
【０２１８】
ステップＳ１００６、Ｓ１００７では、制御部１４は第１の関連情報の更新処理におけるステップＳ７０６、Ｓ７０７と同じ制御を実行する。ステップＳ１００６において、組合せが所定の数以上であるとき、プロセスはステップＳ１００８に進む。
【０２１９】
ステップＳ１００８では、制御部１４は、ステップＳ１００５において記憶された放射方向および検出素子の位置の組合せを用いて、記憶部１３に記憶した第４の関連情報を更新する。制御部１４は、第４の関連情報の更新後、第４の関連情報の更新処理を終了する。
【０２２０】
次に、第２の実施形態において制御部１４が実行する、第５の関連情報の更新処理について、図２６のフローチャートを用いて説明する。制御部１４は、例えば、電磁波検出装置１０の入力デバイスが第５の関連情報の更新処理実行の操作を検出するとき、第５の関連情報の更新処理を開始する。
【０２２１】
ステップＳ１１００からＳ１１０２では、制御部１４は第１の関連情報の更新処理におけるステップＳ７００からＳ７０２と同じ制御を実行する。ステップＳ１１０２において、制御部１４が実際の経過時間を取得すると、プロセスはステップＳ１１０３に進む。
【０２２２】
ステップＳ１１０３では、制御部１４は、記憶部１３から第４の関連情報、第１の対応情報、および第２の対応情報を読出す。制御部１４が第４の関連情報、第１の対応情報、および第２の対応情報を読出すと、プロセスはステップＳ１１０４に進む。
【０２２３】
ステップＳ１１０４では、制御部１４は、ステップＳ１１０２において取得した実際の経過時間を用いて、ステップＳ１００３において読出した第２の対応情報、第１の対応情報、および第４の関連情報に基づいて、検出素子の位置を算出する。制御部１４が検出素子の位置を算出すると、プロセスはステップＳ１１０５に進む。
【０２２４】
ステップＳ１１０５では、制御部１４は、ステップＳ１１００において第１の状態に切替えられた画素ｐｘの位置と、ステップＳ１１０４において算出された検出素子の位置とを組合わせて、記憶部１３に記憶させる。制御部１４が画素ｐｘの位置および検出素子の位置を記憶させると、プロセスはステップＳ１１０６に進む。
【０２２５】
ステップＳ１１０６、Ｓ１１０７では、制御部１４は第１の関連情報の更新処理におけるステップＳ７０６、Ｓ７０７と同じ制御を実行する。ステップＳ１１０６において、組合せが所定の数以上であるとき、プロセスはステップＳ１１０８に進む。
【０２２６】
ステップＳ１１０８では、制御部１４は、ステップＳ１１０５において記憶された画素ｐｘの位置および検出素子の位置の組合せを用いて、記憶部１３に記憶した第５の関連情報を更新する。制御部１４は、第５の関連情報の更新後、第５の関連情報の更新処理を終了する。
【０２２７】
次に、第２の実施形態において制御部１４が実行する、第６の関連情報の更新処理について、図２７のフローチャートを用いて説明する。制御部１４は、例えば、電磁波検出装置１０の入力デバイスが第５の関連情報の更新処理実行の操作を検出するとき、第６の関連情報の更新処理を開始する。
【０２２８】
ステップＳ１２００からＳ１２０２では、制御部１４は第１の関連情報の更新処理におけるステップＳ７００からＳ７０２と同じ制御を実行する。ステップＳ１２０２において、制御部１４が実際の経過時間を取得すると、プロセスはステップＳ１２０３に進む。
【０２２９】
ステップＳ１２０３では、制御部１４は、記憶部１３から第２の関連情報、第５の関連情報、第１の対応情報、および第２の対応情報を読出す。制御部１４が第２の関連情報、第５の関連情報、第１の対応情報、および第２の対応情報を読出すと、プロセスはステップＳ１２０４に進む。
【０２３０】
ステップＳ１２０４では、制御部１４は、ステップＳ１２０２において取得した実際の経過時間を用いて、ステップＳ１２０３において読出した第２の対応情報、第１の対応情報、および第２の関連情報に基づいて、照射位置を算出する。また、制御部１４は、ステップＳ１２００において第１の状態に切替えられた画素ｐｘの位置を用いて、第５の関連情報に基づいて、検出素子の位置を算出する。制御部１４が照射位置および検出素子の位置を算出すると、プロセスはステップＳ１２０５に進む。
【０２３１】
ステップＳ１２０５では、制御部１４は、ステップＳ１２０４において算出された照射位置および検出素子の位置を組合わせて、記憶部１３に記憶させる。制御部１４が照射位置および検出素子の位置を記憶させると、プロセスはステップＳ１２０６に進む。
【０２３２】
ステップＳ２１０６、Ｓ１２０７では、制御部１４は第１の関連情報の更新処理におけるステップＳ７０６、Ｓ７０７と同じ制御を実行する。ステップＳ１２０６において、組合せが所定の数以上であるとき、プロセスはステップＳ１２０８に進む。
【０２３３】
ステップＳ１２０８では、制御部１４は、ステップＳ１２０５において記憶された照射位置および検出素子の位置の組合せを用いて、記憶部１３に記憶した第６の関連情報を更新する。制御部１４は、第６の関連情報の更新後、第６の関連情報の更新処理を終了する。
【０２３４】
以上のような構成の第２の実施形態の電磁波検出装置１０は、反射波による進行部２０の一回の走査において単一の画素ｐｘを第１の方向ｄ１に切替えている。このような構成により、推定される対応関係および実際の対応関係の差異が比較的大きい場合においても、第２の実施形態の電磁波検出装置１０は、反射波を検出するときの反射波を第１の検出部１７に進行させる画素ｐｘの位置および駆動信号を正確に組合わせ得る。したがって、第２の実施形態の電磁波検出装置１０は、推定される対応関係および実際の対応関係の差異が比較的大きい場合においても、推定される対応関係および実際の対応関係の差異を高精度で低減させ得る。
【０２３５】
本発明を諸図面および実施例に基づき説明してきたが、当業者であれば本開示に基づき種々の変形および修正を行うことが容易であることに注意されたい。従って、これらの変形および修正は本発明の範囲に含まれることに留意されたい。
【０２３６】
また、第１の実施形態および第２の実施形態において、進行部２０は、作用面ａｓに入射する電磁波の進行方向を第１の方向ｄ１および第２の方向ｄ２の２方向に切替可能であるが、２方向のいずれかへの切替えでなく、３以上の方向に切替可能であってよい。
【０２３７】
また、第１の実施形態および第２の実施形態において、進行部２０の第１の状態および第２の状態は、作用面ａｓに入射する電磁波を、それぞれ、第１の方向ｄ１に反射する第１の反射状態、および第２の方向ｄ２に反射する第２の反射状態であるが、他の態様であってもよい。
【０２３８】
例えば、第２の状態が、作用面ａｓに入射する電磁波を、透過させて第２の方向ｄ２に進行させる透過状態であってもよい。進行部２０は、さらに具体的には、画素ｐｘ毎に電磁波を反射する反射面を有するシャッタを含んでいてもよい。このような構成の進行部２０においては、画素ｐｘ毎のシャッタを開閉することにより、第１の反射状態および第２の状態としての透過状態を画素ｐｘ毎に切替え得る。このような構成の進行部２０として、例えば、開閉可能な複数のシャッタがアレイ状に配列されたＭＥＭＳシャッタを含む進行部が挙げられる。また、進行部２０は、電磁波を反射する反射状態と電磁波を透過する透過状態とを液晶配向に応じて切替え可能な液晶シャッタを含む進行部が挙げられる。このような構成の進行部２０においては、画素ｐｘ毎の液晶配向を切替えることにより、第１の状態としての反射状態および第２の状態としての透過状態を画素ｐｘ毎に切替え得る。
【０２３９】
また、第１の実施形態および第２の実施形態において、電磁波検出装置１０は、第１の検出部１７がアクティブセンサの一部として機能し、第２の検出部１８がパッシブセンサである構成を有する。しかし、電磁波検出装置１０は、このような構成に限られない。例えば、電磁波検出装置１０は、第１の検出部１７および第２の検出部１８が共にパッシブセンサである構成でも、アクティブセンサの一部として機能する構成でも第１の実施形態と類似の効果が得られる。
【０２４０】
また、第１の実施形態および第２の実施形態において、電磁波検出装置１０は、照射源１５、進行方向変更部１６、記憶部１３、制御部１４、および電磁波検出部１２を含んで構成されているが、これらの少なくとも１つを含んで構成されてもよい。また、電磁波検出装置１０が少なくとも電磁波検出部１２を含み、別の装置がその他を含むことにより、電磁波検出システムが構成されてもよい。
【０２４１】
また、第１の実施形態および第２の実施形態において、電磁波検出装置１０は、照射源１５から放射されるビーム状の電磁波を進行方向変更部１６により走査させることにより、第１の検出部１７を進行方向変更部１６と協同させて走査型のアクティブセンサとして機能させる構成である。しかし、電磁波検出装置１０は、このような構成に限られない。例えば、電磁波検出装置１０は、進行方向変更部１６を備えず、照射源１５から放射状の電磁波を放射させ、走査なしで情報を取得する構成でも、第１の実施形態および第２の実施形態と類似の効果が得られる。
【０２４２】
また、本実施形態において、電磁波検出装置１０は、第１の関連情報から第６の関連情報を更新可能であるが、第１の関連情報から第６の関連情報の少なくともいずれかを更新できればよい。
【符号の説明】
【０２４３】
１０  電磁波検出装置
１１  照射部
１２  電磁波検出部
１３  記憶部
１４  制御部
１５  照射源
１６進行方向変更部
１７  第１の検出部
１８  第２の検出部
１９  前段光学系
２０  進行部
２１  第１の後段光学系
２２  第２の後段光学系
ａｓ  作用面
ｄ１  第1の方向
ｄ２  第２の方向
ｏｂ  対象
ｐｘ、ｐｘ１、ｐｘ２  画素
【図１】
2018179620.tif 000003
【図２】
2018179620.tif 000004
【図３】
2018179620.tif 000005
【図４】
2018179620.tif 000006
【図５】
2018179620.tif 000007
【図６】
2018179620.tif 000008
【図７】
2018179620.tif 000009
【図８】
2018179620.tif 000010
【図９】
2018179620.tif 000011
【図１０】
2018179620.tif 000012
【図１１】
2018179620.tif 000013
【図１２】
2018179620.tif 000014
【図１３】
2018179620.tif 000015
【図１４】
2018179620.tif 000016
【図１５】
2018179620.tif 000017
【図１６】
2018179620.tif 000018
【図１７】
2018179620.tif 000019
【図１８】
2018179620.tif 000020
【図１９】
2018179620.tif 000021
【図２０】
2018179620.tif 000022
【図２１】
2018179620.tif 000023
【図２２】
2018179620.tif 000024
【図２３】
2018179620.tif 000025
【図２４】
2018179620.tif 000026
【図２５】
2018179620.tif 000027
【図２６】
2018179620.tif 000028
【図２７】
2018179620.tif 000029